(57)【要約】  本発明は、固定焦点カメラモジュール及びその製造方法を開示する。前記固定焦点カメラモジュールは、感光素子と、光学レンズと、レンズホルダと、を含み、前記光学レンズは、前記レンズホルダに直接的に実装され、且つ、前記光学レンズは、前記感光素子の感光経路に保持されている。このような方法で前記固定焦点カメラモジュールのサイズと製造コストを有効的に小さくすることによって、前記固定焦点カメラモジュールの製品競争力が向上する。
2019519001.tif 000002
【特許請求の範囲】
【請求項１】
固定焦点カメラモジュールであって、
感光素子と、
光学レンズと、
レンズホルダであって、前記光学レンズが、前記レンズホルダから外へ向けて突出すると共に、前記感光素子の感光経路に保持されるように、前記レンズホルダの先端に実装されるレンズホルダと、
を含むことを特徴とする固定焦点カメラモジュール。
【請求項２】
前記光学レンズと前記レンズホルダの接続部を密封する接着層であって、前記光学レンズと前記レンズホルダとの間に位置し、前記光学レンズが接着層を介し前記レンズホルダに直接実装される接着層を更に含む請求項１に記載の固定焦点カメラモジュール。
【請求項３】
前記レンズホルダの先端には、外側凹溝が設けられ、
前記接着層により、前記光学レンズが前記レンズホルダの前記外側凹溝に直接実装される請求項２に記載の固定焦点カメラモジュール。
【請求項４】
前記感光素子と導通して接続される回路基板を更に含み、
前記レンズホルダが回路基板に設置される請求項１〜３のいずれか１項に記載の固定焦点カメラモジュール。
【請求項５】
前記感光素子に設置されるフィルター素子を更に含み、
前記フィルター素子は、前記光学レンズと前記感光素子との間に保持される請求項４に記載の固定焦点カメラモジュール。
【請求項６】
前記レンズホルダに設置されるフィルター素子を更に含み、
前記フィルター素子は、前記光学レンズと前記感光素子との間に保持される請求項１〜３のいずれか１つに記載の固定焦点カメラモジュール。
【請求項７】
前記フィルター素子は、前記レンズホルダに実装されおり、且つ、前記光学レンズと前記感光素子との間に保持される請求項６に記載の固定焦点カメラモジュール。
【請求項８】
前記レンズホルダの先端には、内側凹溝が設けられ、
前記フィルター素子は、前記レンズホルダの前記内側凹溝に実装される請求項６に記載の固定焦点カメラモジュール。
【請求項９】
前記レンズホルダの先端には、内側凹溝が設けられ、
前記フィルター素子は、前記レンズホルダにおける前記内側凹溝に実装される請求項７に記載の固定焦点カメラモジュール。
【請求項１０】
前記レンズホルダの先端には、外側凹溝が設けられ、
前記接着層と共に前記外側凹溝に配置されるフィルター素子を更に含む請求項２に記載の固定焦点カメラモジュール。
【請求項１１】
前記光学レンズは、前記レンズホルダの外部に露出する請求項１に記載の固定焦点カメラモジュール。
【請求項１２】
前記光学レンズは、互いに取り合わせて組み立てられており、光軸の方向が一致である少なくとも２つのアセンブリユニットを含む請求項１〜１１のいずれか１つに記載の固定焦点カメラモジュール。
【請求項１３】
それぞれの前記アセンブリユニットは、保持部材と、前記保持部材に取り付けられる少なくとも１つのレンズを含む請求項１２に記載の固定焦点カメラモジュール。
【請求項１４】
少なくとも２つの前記アセンブリユニットは、それぞれ、上アセンブリユニットと下アセンブリユニットであり、
前記上アセンブリユニットは、前記下アセンブリユニットにスリーブ接続される請求項１３に記載の固定焦点カメラモジュール。
【請求項１５】
前記上アセンブリユニットは、上支持本体と延長壁を含み、
前記下アセンブリユニットは、下支持本体を含み、
前記延長壁は、前記上支持本体の外部から外側へ延長し、前記下アセンブリユニットの前記下支持本体にラップ接合されることを特徴とする請求項１４に記載の固定焦点カメラモジュール。
【請求項１６】
前記延長壁は、環状の鍔構造を形成することを特徴とする請求項１５に記載の固定焦点カメラモジュール。
【請求項１７】
前記上支持本体は、前記延長壁の下方に位置する下スリーブ接続端部を有し、
下スリーブ接続端部は、前記下支持本体にスリーブ接続されている請求項１５に記載の固定焦点カメラモジュール。
【請求項１８】
前記上支持本体と前記下支持本体は、中空の構造であり、
前記複数のレンズは、それぞれ前記上支持本体と前記下支持本体に取り付けられる請求項１５に記載の固定焦点カメラモジュール。
【請求項１９】
少なくとも１つの前記アセンブリユニット同士は、接着媒体によって固定されていることを特徴とする請求項１２に記載の固定焦点カメラモジュール。
【請求項２０】
前記接着媒体は、ＵＶ接着剤、熱硬化型接着剤、ＵＶ熱硬化型接着剤、エポキシ樹脂接着剤、湿気硬化型接着剤、感圧接着剤からなる群より選ばれる１種以上である請求項１９に記載の固定焦点カメラモジュール。
【請求項２１】
それぞれの前記アセンブリユニットは、前記レンズホルダの外部に直接露出する請求項１２に記載の固定焦点カメラモジュール。
【請求項２２】
少なくとも１つの前記アセンブリユニットは、直接的に調節されてから固定される請求項１２に記載の固定焦点カメラモジュール。
【請求項２３】
固定焦点カメラモジュールの製造方法であって、
光学レンズがレンズホルダから外へ向けて突出すると共に、回路基板に貼着された感光素子の感光経路に保持されるように、前記光学レンズを前記レンズホルダの先端に実装することにより、固定焦点カメラモジュールを製造するステップを含むことを特徴とする固定焦点カメラモジュールの製造方法。
【請求項２４】
前記感光素子を前記回路基板に固定するステップと、
ワイヤボンディングによって前記感光素子と前記回路基板を導通させるステップと、
を更に含む請求項２３に記載の製造方法。
【請求項２５】
フィルター素子を、前記フィルター素子の位置を、前記回路基板に貼着された前記感光素子の位置と対応するように前記レンズホルダに実装するステップを更に含む請求項２３に記載の製造方法。
【請求項２６】
前記レンズホルダの先端には、内側凹溝が設けられ、
前記フィルター素子は、前記レンズホルダの前記内側凹溝に実装される請求項２３に記載の製造方法。
【請求項２７】
前記方法において、
前記光学レンズと前記レンズホルダとの相対的な位置が決定された後、前記光学レンズと前記レンズホルダの間に、前記光学レンズと前記レンズホルダに接続される接着層を形成する請求項２３〜２６のいずれか１項に記載の製造方法。
【請求項２８】
前記方法において、
前記光学レンズと前記レンズホルダの少なくとも一方に対しディスペンスを行って、前記固定焦点カメラモジュールに対して焦点調節動作を行った後、接着剤を硬化させることによって、前記光学レンズと前記レンズホルダとの間に接着層を形成する請求項２３〜２６のいずれか１項に記載の製造方法。
【請求項２９】
前記レンズホルダは、外側凹溝を有し、前記接着層は、前記レンズホルダの前記外側凹溝に位置する請求項２８に記載の製造方法。
【請求項３０】
前記方法において、
ディスペンスによって前記レンズホルダに塗布された接着剤を半硬化させるステップと、
半硬化された接着剤が前記光学レンズと前記レンズホルダの間に位置するように、前記光学レンズの下端面を前記レンズホルダに貼着するステップと、
前記固定焦点カメラモジュールに対して焦点調節動作を行い、その後、接着剤の硬化を完成させることによって、前記光学レンズと前記レンズホルダとの間に接着層を形成するステップとを更に含む請求項２８に記載の製造方法。
【請求項３１】
接着剤が前記レンズホルダと前記光学レンズの接続部を密封するようにレンズホルダと光学レンズとの間にディスペンスを行うステップと、
前記レンズホルダの外部で、前記光学レンズの前記レンズホルダに相対する位置を調節し、且つ、前記光学レンズの前記レンズホルダに相対する位置が決定された後、接着剤を硬化させることによって、前記光学レンズと前記レンズホルダとの間に接着層を形成するステップとを更に含む請求項２８に記載の製造方法。
【請求項３２】
前記感光素子と前記回路基板を互いに固定して導通するとともに、フィルター素子が予め組み立てられた前記レンズホルダを前記回路基板に取り付け、その後、前記光学レンズを前記レンズホルダに組み立て、前記光学レンズの位置を調節して決定するステップを含む請求項２３に記載の製造方法。
【請求項３３】
前記レンズホルダが前記回路基板に一体的に実装され、フィルター素子をレンズホルダに取り付け、その後、前記光学レンズを前記レンズホルダに組み立て、前記光学レンズの位置を調節して決定するステップを含む請求項２３に記載の製造方法。
【請求項３４】
固定焦点カメラモジュールであって、
感光アセンブリと、
光学レンズと、を含み、
前記光学レンズは、前記感光アセンブリに直接実装されていることを特徴とする固定焦点カメラモジュール。
【請求項３５】
接着層を含み、
前記光学レンズが直接固定されるように、前記接着層は、前記感光アセンブリと前記光学レンズとの間に配置される請求項３４に記載の固定焦点カメラモジュール。
【請求項３６】
前記感光アセンブリは、
感光素子と、
回路基板と、
一体ベースと、を含み、
前記感光素子は、前記回路基板に電気的に接続され、
前記一体ベースは、前記回路基板に一体に成形され、
前記光学レンズは、前記接着層によって前記一体ベースに取り付けられている請求項３５に記載の固定焦点カメラモジュール。
【請求項３７】
前記一体ベースは、光窓を有する成形本体を含み、
前記成形本体は、前記回路基板に一体的に形成され、前記感光素子のために光線通路を提供する光窓が形成される請求項３６に記載の固定焦点カメラモジュール。
【請求項３８】
フィルター素子を含み、
前記一体ベースは、第１の溝と第２の溝を有し、前記フィルター素子は、前記第１の溝に取り付けられ、前記光学レンズは、前記接着層によって前記第２の溝に取り付けられる請求項３６に記載の固定焦点カメラモジュール。
【請求項３９】
フィルター素子を含み、
前記一体ベースは、第２の溝を有し、前記フィルター素子は、前記第２の溝に取り付けられ、前記光学レンズは、前記接着層によって前記フィルター素子に取り付けられる請求項３６に記載の固定焦点カメラモジュール。
【請求項４０】
フィルター素子を含み、
前記一体ベースは、第２の溝を有し、前記フィルター素子は、前記感光素子を覆い、前記光学レンズは、前記接着層によって前記第２の溝に取り付けられる請求項３６に記載の固定焦点カメラモジュール。
【請求項４１】
フィルター素子と、
支持ブラケットと、を含み、
前記一体ベースは、第２の溝を有し、前記フィルター素子は、前記支持ブラケットに取り付けられ、前記支持ブラケットは、前記第２の溝に取り付けられ、前記光学レンズは、前記接着層によって前記支持ブラケットに取り付けられる請求項３６に記載の固定焦点カメラモジュール。
【請求項４２】
フィルター素子と、
支持ブラケットと、を含み、
前記一体ベースは、第１の溝と第２の溝を有し、前記フィルター素子は、前記支持ブラケットに取り付けられ、前記支持ブラケットは、前記第１の溝に取り付けられ、前記光学レンズは、前記接着層によって前記第２の溝に取り付けられる請求項３６に記載の固定焦点カメラモジュール。
【請求項４３】
前記一体ベースは、前記感光素子の少なくとも一部に一体的に成形されることによって、前記感光素子と前記回路基板が一体的に実装される請求項３６〜４２のいずれか１項に記載の固定焦点カメラモジュール。
【請求項４４】
前記感光アセンブリは、少なくとも１つの回路素子を含み、前記回路素子は、前記回路基板に設置され、前記一体ベースは、前記回路素子を覆う請求項３６〜４２のいずれか１項に記載の固定焦点カメラモジュール。
【請求項４５】
前記回路素子は、抵抗器、コンデンサ、ダイオード、三極管、ポテンショメータ、リレー、ドライバーからなる群より選ばれる１種以上である請求項４４に記載の固定焦点カメラモジュール。
【請求項４６】
前記感光アセンブリは、前記感光素子と前記回路基板を電気的に接続する少なくとも１つの接続線を含むことを特徴とする請求項３６〜４２のいずれか１項に記載の固定焦点カメラモジュール。
【請求項４７】
前記一体ベースは、前記接続線を覆う請求項４６に記載の固定焦点カメラモジュール。
【請求項４８】
前記接続線は、金線、銀線、銅線、アルミニウム線、ボンディングパッド、リード線、ピンからなる群より選ばれる１種以上である請求項４６に記載の固定焦点カメラモジュール。
【請求項４９】
前記感光アセンブリと前記光学レンズは、焦点調節されてから、固定されることを特徴とする請求項３４〜４２のいずれか１項に記載の固定焦点カメラモジュール。
【請求項５０】
前記一体に成形されることは、モールド成形によって行われる請求項３６〜４２のいずれか１項に記載の固定焦点カメラモジュール。
【請求項５１】
前記接着層は、接着剤の層である請求項３５〜４２のいずれか１項に記載の固定焦点カメラモジュール。
【請求項５２】
前記固定焦点カメラモジュールを製造する時、前記光学レンズの底部端に接着剤を設置し、その後、前記光学レンズを前記一体ベースに取り付けて、前記接着層を形成する請求項３６〜４２のいずれか１項に記載の固定焦点カメラモジュール。
【請求項５３】
前記固定焦点カメラモジュールを製造する時、前記一体ベースに接着剤を設置し、その後、前記光学レンズを前記一体ベースに取り付けて、前記接着層を形成する請求項３６〜４２のいずれか１項に記載の固定焦点カメラモジュール。
【請求項５４】
前記光学レンズは、積層するように配置され、光軸の方向が一致である少なくとも２つのアセンブリユニットを含む請求項３４〜４２のいずれか１項に記載の固定焦点カメラモジュール。
【請求項５５】
それぞれの前記アセンブリユニットは、保持部材と、前記保持部材に取り付けられる少なくとも１つのレンズを含む請求項５４に記載の固定焦点カメラモジュール。
【請求項５６】
少なくとも２つの前記アセンブリユニットは、それぞれ上アセンブリユニットと下アセンブリユニットであり、
前記上アセンブリユニットは、前記下アセンブリユニットにスリーブ接続されている請求項５５に記載の固定焦点カメラモジュール。
【請求項５７】
前記上アセンブリユニットは、上支持本体と延長壁を含み、
前記下アセンブリユニットは、下支持本体を含み、
前記延長壁は、前記上支持本体の外部から外側へ延長し、前記下アセンブリユニットの前記下支持本体にラップ接合されている請求項５６に記載の固定焦点カメラモジュール。
【請求項５８】
前記延長壁は、環状の鍔構造を形成する請求項５７に記載の固定焦点カメラモジュール。
【請求項５９】
前記上支持本体は、スリーブ接続端部を有し、前記スリーブ接続端部は、前記延長壁の下方に位置し、且つ前記下支持本体にスリーブ接続する請求項５６に記載の固定焦点カメラモジュール。
【請求項６０】
前記上支持本体と前記下支持本体は、中空の構造であり、
少なくとも１つの前記レンズは、それぞれ前記上支持本体と前記下支持本体に取り付けられる請求項５６に記載の固定焦点カメラモジュール。
【請求項６１】
前記アセンブリユニットは、接着媒体によって固定されることを特徴とする請求項５４に記載の固定焦点カメラモジュール。
【請求項６２】
前記接着媒体は、ＵＶ接着剤、熱硬化型接着剤、ＵＶ熱硬化型接着剤、エポキシ樹脂接着剤、湿気硬化型接着剤、感圧接着剤からなる群より選ばれる１種以上である請求項６１に記載の固定焦点カメラモジュール。
【請求項６３】
少なくとも１つの前記アセンブリユニットは、直接的に調節されてから固定される請求項６１に記載の固定焦点カメラモジュール。
【請求項６４】
それぞれの前記アセンブリユニットは、前記レンズホルダの外部に直接的に露出する請求項６１に記載の固定焦点カメラモジュール。
【発明の詳細な説明】
【技術分野】
【０００１】
本発明は、光学結像分野に関し、特に、固定焦点カメラモジュール及びその製造方法に関する。
【背景技術】
【０００２】
科学技術の急速な発展と人々の経済レベルの継続的な向上に伴い、スマートフォンやタブレットコンピュータ等の携帯型電子機器及びその関連技術は、急速な発展を遂げている。ユーザーが映像を撮影することに寄与するカメラモジュールは、すでに携帯型電子機器の標準的な配置の１つとなっている。一般に、ユーザーが携帯型電子機器によって自撮りまたはビデオ通話を行いやすくするために、携帯型電子機器には、フロントカメラモジュールが配置されている。固定焦点カメラモジュールは、一旦携帯型電子機器に配置された後、焦点調節のためのスベースを予め残す必要がないので、携帯型電子機器の大型化を抑えるために、固定焦点カメラモジュールは、携帯型電子機器のフロントカメラモジュールとして最も望ましい選択となる。
【０００３】
近年、携帯型電子機器は、益々インテリジェント化、及び薄型軽量化が進んでいる。携帯型電子機器のこのような発展傾向は、スマートコンポーネントを追加することで、携帯型電子機器に対してより多くより強力な機能を持たせることが求められる一方、携帯型電子機器の各構成要素のサイズを縮小することで、携帯型電子機器のサイズを制御することが求められている。携帯型電子機器の傾向により、特に焦点カメラモジュールのサイズに対して過酷な要求が提出されている。固定焦点カメラモジュールは、一旦携帯型電子機器に配置された後、焦点調節のためのスベースを予め残す必要がないが、固定焦点カメラモジュールの実装の時、固定焦点カメラモジュールの結像品質を確保するために、依然として固定焦点撮像モジューに対する焦点調節を行う必要がある。
【０００４】
図１は、従来技術の固定焦点カメラモジュールを示す。従来技術の固定焦点カメラモジュールは、感光素子１０Ｐと、光学レンズ２０Ｐと、ベース３Ｐとを備え、前記ベース３Ｐは、ベース本体３３Ｐ及び鏡筒３４Ｐとを含み、前記鏡筒３４Ｐは、前記ベース本体３３Ｐに一体的に延設されており、前記光学レンズ２０Ｐは、前記感光素子１０Ｐの感光経路に位置するように、前記鏡筒３４Ｐに設けられる。従来技術の固定焦点カメラモジュールでは、前記鏡筒３４Ｐによって前記光学レンズ２０Ｐを固定するとともに、合焦後の位置に前記光学レンズ２０Ｐを保持させる。前記鏡筒３４Ｐの配置は、固定焦点カメラモジュールのサイズを規制し、ひいては固定焦点カメラモジュールの発展を規制する技術的なボトルネックになっている。なお、前記光学レンズ２０Ｐは、前記鏡筒３４Ｐの内部に取り付けられているので、前記光学レンズ２０Ｐと前記鏡筒３４Ｐを取り付けるプロセス、又は、固定焦点カメラモジュールの焦点調節を実現するように、前記光学レンズ２０Ｐの前記鏡筒３４Ｐに相対する位置を調節するプロセスにおいて、前記光学レンズ２０Ｐの外表面と前記鏡筒３４Ｐの内表面が互いに摩擦することによって、前記光学レンズ２０Ｐの外表面と前記鏡筒３４Ｐの内表面に粒子等の汚染物が生じてしまい、これらの粒子等の汚染物は、固定焦点カメラモジュールの内部に保持され、固定焦点カメラモジュールが実装された後でも、これらの粒子等の汚染物は取り出すことは不可能であり、時間の経過につれて、また、固定焦点カメラモジュールが外部の衝撃を受けると、粒子等の汚染物の一部は、前記光学レンズ２０Ｐの光路の中に進入し、前記感光素子１０Ｐの上に結像することもかのうであり、ダストやデッドピクセルの現れにつながり、固定焦点カメラモジュールの結像品質が低下してしまう。
【発明の概要】
【発明が解決しようとする課題】
【０００５】
本発明の目的の１つは、固定焦点カメラモジュールのサイズが効果的に低減可能であり、それによって、前記固定焦点カメラモジュールを薄型軽量化が求められる電子機器での適用に特に適合するようにする固定焦点カメラモジュール及びその製造方法を提供することにある。
【０００６】
本発明の目的の１つは、固定焦点カメラモジュールの光学レンズがレンズホルダに直接実装されることによって、前記固定焦点カメラモジュールには、前記光学レンズと前記レンズホルダを固定する鏡筒が設ける必要がなく、即ち、前記光学レンズの周りに鏡筒を設ける必要がなくなって、前記固定焦点カメラモジュールのヘッドのサイズを小さくできる、固定焦点カメラモジュール及びその製造方法を提供する。
【０００７】
本発明の目的の１つは、固定焦点カメラモジュールの光学レンズがレンズホルダに直接実装されることによって、前記固定焦点カメラモジュールの高さのサイズを効果的に小さくできる、固定焦点カメラモジュール及びその製造方法を提供する。
【０００８】
本発明の目的の１つは、固定焦点カメラモジュールの光学レンズをレンズホルダに実装するために、前記光学レンズと前記レンズホルダとの間に接着層を配置または形成する、固定焦点カメラモジュール及びその製造方法を提供する。
【０００９】
本発明の目的の１つは、固定焦点カメラモジュールの結像の品質を確保するように、前記接着層が前記光学レンズと前記レンズホルダとの間の隙間を密封することによって、外部光線または汚染物が当該隙間を通って前記固定焦点カメラモジュールの内部に進入するのを防ぐ、固定焦点カメラモジュール及びその製造方法を提供する。
【００１０】
本発明の目的の１つは、前記光学レンズの中心軸が前記感光素子の中心軸と重なるように、前記接着層が前記光学レンズと前記レンズホルダの平坦度を改善することによって、固定焦点カメラモジュールの結像の品質を確保する、固定焦点カメラモジュール及びその製造方法を提供する。
【００１１】
本発明の目的の１つは、前記固定焦点カメラモジュールを実装するプロセスにおいて、前記固定焦点カメラモジュールの外部で前記光学レンズの感光素子に相対する位置を調節することによって、前記固定焦点カメラモジュールに対して焦点調節をするときに生じる固体粒子等の汚染物等が前記カメラモジュールの内部に入ることを防ぎ、それにより、固定焦点カメラモジュールの結像の品質を向上させる固定焦点カメラモジュール及びその製造方法を提供する。
【００１２】
本発明の目的の１つは、前記光学レンズと前記レンズホルダとの間に配置され、または形成された前記接着層は、前記固定焦点カメラモジュールに対する焦点調節により生じた固体粒子等の汚染物等が前記固定焦点カメラモジュールの内部に入るのを防止する、固定焦点カメラモジュール及びその製造方法を提供する。
【００１３】
本発明の目的の１つは、固定焦点カメラモジュールが実装された後、前記固定焦点カメラモジュールを、洗浄によって、前記固定焦点カメラモジュールの外部に付着する固体粒子等の汚染物を除去できる、固定焦点カメラモジュール及びその製造方法を提供する。
【００１４】
本発明の目的の１つは、前記固定焦点カメラモジュールが鏡筒を提供する必要がないことで、前記固定焦点カメラモジュールの製品原材料のコストと技術的な困難性を低減でき、固定焦点カメラモジュールの製品競争力を向上させる、固定焦点カメラモジュール及びその製造方法を提供する。
【００１５】
本発明の目的の１つは、フィルター素子を収納するために前記レンズホルダに内側凹溝が設けられることによって、固定焦点カメラモジュールの高さを小さくする、固定焦点カメラモジュール及びその製造方法を提供する。
【００１６】
本発明の目的の１つは、前記光学レンズを実装するために前記レンズホルダに外側凹溝が設けることによって、固定焦点カメラモジュールの高さを小さくする、固定焦点カメラモジュール及びその製造方法を提供する。
【００１７】
本発明の目的の１つは、固定焦点カメラモジュールは、感光アセンブリと前記レンズを含み、前記レンズは鏡筒を通じて取り付けられるのではなく、直接的に前記感光アセンブリに取り付けられる、固定焦点カメラモジュール及びその製造方法を提供する。
【００１８】
本発明の目的の１つは、前記感光アセンブリは、一体ベースと回路基板を含み、前記一体ベースは、前記回路基板に一体に成形され、前記レンズは、直接的に前記一体ベースに設置される、固定焦点カメラモジュール及びその製造方法を提供する。
【００１９】
本発明の目的の１つは、前記一体ベースは、前記回路基板と、前記感光素子の少なくとも一部分に一体に成形される、固定焦点カメラモジュール及びその製造方法を提供する。
【００２０】
本発明の目的の１つは、前記感光アセンブリは、支持ブラケットを含み、前記支持ブラケットは、前記一体ベースに設けられ、前記フィルター素子は、前記支持ブラケットに取り付けられる、固定焦点カメラモジュール及びその製造方法を提供する。
本発明の目的の１つは、前記光学レンズは、少なくとも２つのアセンブリユニットを含み、その中の少なくとも１つの前記アセンブリユニットは、前記レンズホルダに直接に設置さる、固定焦点カメラモジュール及びその製造方法を提供する。
【００２１】
本発明の目的の１つは、前記光学アセンブリユニットの中の少なくとも１つは、前記一体ベースに直接取り付けられる、固定焦点カメラモジュール及びその製造方法を提供する。
【００２２】
本発明の目的の１つは、それぞれの前記アセンブリユニットは、前記レンズホルダまたは前記一体ベースの外部に露出することにより、容易に調節動作を行うことができる、固定焦点カメラモジュール及びその製造方法を提供する。
【００２３】
本発明の目的の１つは、それぞれの前記アセンブリユニットは、全て前記レンズホルダまたは前記一体ベースの外部に露出することにより、最上部の前記アセンブリユニットだけではなく、前記アセンブリユニット全てが調節可能となり、広い範囲で調節可能となる、固定焦点カメラモジュール及びその製造方法を提供する。
【００２４】
本発明の目的の１つは、複数のアセンブリユニットの調節によって固定焦点カメラモジュールを構成することにより、レンズの累積誤差を低減でき、マルチレンズの製造に適する、固定焦点カメラモジュール及びその製造方法を提供する。
【課題を解決するための手段】
【００２５】
本発明により、前記目的とその他の目的及び長所を実施できる固定焦点カメラモジュールは、
感光素子と、
光学レンズと、
レンズホルダと、を含み、前記光学レンズが前記レンズホルダから外へ向けて突出するとともに、前記光学レンズが前記感光素子の感光経路に保持されるように、前記レンズホルダの先端に実装する。
【００２６】
本発明による他の局面において、本発明は、光学レンズを、レンズホルダから外へ向けて突出するとともに、回路基板に貼着される感光素子の感光経路に保持されるように、前記レンズホルダの先端に実装することによって、前記固定焦点カメラモジュールを製造する、固定焦点カメラモジュールの製造方法を提供する。
【００２７】
本発明の前記固定焦点カメラモジュールは、前記感光素子と、前記光学レンズと、前記レンズホルダとを含み、前記感光素子は、前記レンズホルダの一方側に設置され、前記光学レンズは、前記レンズホルダの他方側に直接的に実装されるとともに、前記感光素子の感光経路に保持される。物体に反射された光線は、前記光学レンズから前記固定焦点カメラモジュールの内部に入り、前記感光素子に受信され、光電変換後に物体に関連する映像（例えば、画像またはビデオ）を生成することができる。即ち、本発明の前記固定焦点カメラモジュールの前記光学レンズの周りには、如何なる構成部材を設ける必要がなく、よって前記固定焦点カメラモジュールのヘッドのサイズを小さくすることで、前記固定焦点カメラモジュールのサイズを小さくすることができる。前記固定焦点カメラモジュールが電子機器に適用されるときに、前記固定焦点カメラモジュールのサイズの減少は、前記電子機器のその他のデバイスにより多くのスベースを残すことができるので、前記電子機器がインテリジェント化と薄型軽量化の発展傾向に適するようになる。
【００２８】
本発明のもう１つの側面は、固定焦点カメラモジュールであって、
感光アセンブリと、
光学レンズと、を含み、
前記光学レンズは、前記感光アセンブリに直接実装されることによって、前記固定焦点カメラモジュールが形成する固定焦点カメラモジュールを提供する。
【図面の簡単な説明】
【００２９】
【図１】従来技術の分解模式図である。
【図２】本発明の好ましい実施形態に係る固定焦点カメラモジュールの立体模式図である。
【図３】本発明の前記好ましい実施形態に係る固定焦点カメラモジュールの断面模式図である。
【図４】本発明の前記好ましい実施形態に係る固定焦点カメラモジュールの変形実施形態の断面模式図である。
【図５Ａ】本発明の前記好ましい実施形態に係る固定焦点カメラモジュールの他の変形実施形態の断面模式図である。
【図５Ｂ】本発明の前記好ましい実施形態に係る固定焦点カメラモジュールの別の他の変形実施形態の断面模式図である。
【図６】本発明の前記好ましい実施形態に係る固定焦点カメラモジュールの製造方法のフローチャートの模式図である。
【図７Ａ】本発明の第２の好ましい実施形態に係る固定焦点カメラモジュールの断面模式図である。
【図７Ｂ】本発明の第２の好ましい実施形態に係る固定焦点カメラモジュールの１つの変形実施形態の断面模式図である。
【図８】本発明の第２の好ましい実施形態に係る固定焦点カメラモジュールの第１の変形実施形態の断面模式図である。
【図９】本発明の第２の好ましい実施形態に係る固定焦点カメラモジュールの第２の変形実施形態の断面模式図である。
【図１０Ａ】本発明の第３の好ましい実施形態に係る固定焦点カメラモジュールの断面模式図である。
【図１０Ｂ】本発明の第３の好ましい実施形態に係る固定焦点カメラモジュールの変形実施形態の断面模式図である。
【図１１】本発明の第４の好ましい実施形態に係る固定焦点カメラモジュールの断面模式図である。
【図１２】本発明の第４の好ましい実施形態に係る固定焦点カメラモジュールの１つの変形実施形態の断面模式図である。
【図１３】本発明の第５の好ましい実施形態に係る固定焦点カメラモジュールの断面模式図である。
【図１４】本発明の第５の好ましい実施形態に係る固定焦点カメラモジュールの多群レンズの上アセンブリユニットの模式図である。
【図１５】本発明の第５の好ましい実施形態に係る固定焦点カメラモジュールの多群レンズの下アセンブリユニットの模式図である。
【図１６】図１３の局部拡大図である。
【図１７】本発明の第６の望ましい実施形態による固定焦点カメラモジュールの断面模式図である。
【発明を実施するための形態】
【００３０】
以下の説明は、当業者が本発明を実施できるように本発明を開示するためのものである。以下の説明における好ましい実施例は単なる例示に過ぎず、当業者が他の明らかな変形を想到できる。以下の説明で定義される本発明の基本的な原理は、他の実施形態、変形例、改良例、等価物、および本発明の趣旨および範囲を逸脱しない他の技術的手段に適用され得る。
【００３１】
本発明の明細書の図２と図３を参照し、本発明の好ましい実施例に係る固定焦点カメラモジュールが示されており、前記固定焦点カメラモジュールは、感光素子１０、光学レンズ２０及びレンズホルダ３０を含み、光学レンズ２０は、前記レンズホルダの先端３０２に実装され、前記レンズホルダの中央には、光通過孔３０１が形成され、前記光学レンズ２０は、前記感光素子１０の感光経路２０に保持される。物体に反射された光線は、前記光学レンズ２０から前記固定焦点カメラモジュールの内部に入り、前記感光素子１０に受信されて光電変換され、物体に関連する映像（例えば、画像またはビデオ）を生成することができる。
【００３２】
注意すべき点は、本発明の前記固定焦点カメラモジュールでは、前記感光素子１０の種類および前記光学レンズ２０の種類は、何れも限定されない。例えば、例示的な説明において、感光素子１０は、電荷結合素子（Ｃｈａｒｇｅ  Ｃｏｕｐｌｅｄ  Ｄｅｖｉｃｅ，ＣＣＤ）であっても良く、または金属酸化物半導体（Ｃｏｍｐｌｅｍｅｎｔａｒｙ  Ｍｅｔａｌ−Ｏｘｉｄｅ  Ｓｅｍｉｃｏｎｄｕｃｔｏｒ，ＣＭＯＳ）であっても良く、またはシリコンフォトニクスチップであっても良い。即ち、本発明の固定焦点カメラモジュールにおいて、前記感光素子１０は、被写体からの反射光線を受信した後に光電変換可能な任意の光学素子を指す。これに対応して、光学レンズ２０は、物体によって反射された光線が固定焦点カメラモジュールの外部から内部に入射させ、この光の品質を向上可能な任意の光学素子を指す。
【００３３】
本発明の前記固定焦点カメラモジュールにおいて、前記光学レンズ２０は、前記レンズホルダ３０の先端３０２に直接実装されている。即ち、本発明の前記固定焦点カメラモジュールには、従来技術の鏡筒構造が設ける必要がない。これにより、前記光学レンズ２０の周りにおける前記固定焦点カメラモジュールの体積を小さくすることができるので、前記固定焦点カメラモジュールが電子機器に取り付けられる時に、前記固定焦点カメラモジュールが占有する前記電子機器のスベースをできるだけ少なくすることができ、これにより、前記電子機器に他の部材を取り付けられるためのスベースをより多く残すことができる。一つの具体的な例示において、前記光学レンズ２０の周りの任意の方向においても少なくとも０.２mmのスベースを節約でき、即ち、前記固定焦点カメラモジュールのヘッド（即ち、前記光学レンズ２０及びその周り）は、少なくとも０.４mmのスベースを節約でき、これは、前記固定焦点カメラモジュールがインテリジェント化、薄型軽量化の前記電子機器に適用するには重要な意味がある。
【００３４】
なお、本発明の前記固定焦点カメラモジュールは、従来技術の鏡筒構造を設ける必要がなく、前記光学レンズ２０を前記レンズホルダ３０に直接的に実装するものである。このようにして、原材料の使用を低減することで、前記固定焦点カメラモジュールのコストが低減され、前記固定焦点カメラモジュールの製品競争力が向上した。
【００３５】
本発明の前記固定焦点カメラモジュールを実装するプロセスにおいて、焦点調節機構によって前記光学レンズ２０の外部で前記光学レンズ２０を固定することにより、前記光学レンズ２０の前記感光素子１０に相対する位置を調節することによって、前記固定焦点カメラモジュールの結像品質を向上させる。故に、このプロセスにおいて、前記焦点調節機構により、前記光学レンズ２０に固体粒子等の汚染物が生じても、当該固体粒子等の汚染物は、前記固定焦点カメラモジュールの内部に進入することがなく、当該固体粒子等の汚染物によるダストやデッドピクセルの発生が防止され、それによって前記固定焦点カメラモジュールの結像品質が確保される。当該固体粒子等の汚染物が生じた後、当該固体粒子等の汚染物は、多くとも前記固定焦点カメラモジュールの外表面に付着し、前記固定焦点カメラモジュールの実装が完了した後、前記固定焦点カメラモジュールの外表面に付着する固体粒子等の汚染物が洗浄によって除去されることができ、よって前記固定焦点カメラモジュールを前記電子機器に配置して使用するプロセスの結像品質が確保される。
【００３６】
注意すべき点は、前記焦点調節機構は、垂直方向の焦点調節機構であっても良く、多方向の焦点調節機構、例えば水平、垂直及び傾斜方向のアクティブ焦点調節機構であっても良い。
【００３７】
更に、図３に示すように、前記固定焦点カメラモジュールは、接着層４０を含み、前記接着層４０は、前記光学レンズ２０を前記レンズホルダ３０に直接的に実装するために、前記光学レンズ２０と前記レンズホルダ３０との間に位置し、これに対応して、前記接着層４０は、環状の形を呈し、前記光学レンズ２０の環状の外縁を前記レンズホルダ３０に接続している。前記接着層４０は、不透光材料で形成されることは好ましい。注意すべき点は、前記接着層４０は、前記光学レンズ２０と前記レンズホルダ３０を接続できるだけでなく、前記光学レンズ２０と前記レンズホルダ３０との接続部を密封し、当該固体粒子等の汚染物または外部汚染物または外部光線が、前記固定焦点カメラモジュールの外部から前記光学レンズ２０と前記レンズホルダ３０との接続部を通って、前記固定焦点カメラモジュールの内部に進入することを防止でき、よって前記固定焦点カメラモジュールの結像品質を確保する。
【００３８】
前記固定焦点カメラモジュールの他の一つの実施形態では、前記接着層４０は、前記光学レンズ２０と前記レンズホルダ３０との間に形成されている。具体的には、前記光学レンズ２０および前記レンズホルダ３０の少なくとも一方の対応する位置でディスペンスを選択的に行い、ディスペンス動作完了後、前記光学レンズ２０と前記レンズホルダ３０との間に接着剤が位置するように、前記光学レンズ２０の下端面を前記レンズホルダ３０に取り付け、前記光学レンズ２０をその外部で固定するように前記固定焦点カメラモジュールに対して焦点調節させ、合焦完了後、接着剤を硬化させることで前記光学レンズ２０と前記レンズホルダ３０との間に位置する前記接着層４０を形成する。好ましくは、接着剤による前記光学レンズ２０の汚れを防止するために、前記レンズホルダ３０の対応する位置のみでディスペンスを行っても良い。より好ましくは、紫外線（Ｕｌｔｒａｖｉｏｌｅｔ  Ｒａｙｓ，ＵＶ光）を接着剤に照射することによって接着剤を硬化させても良い。もちろん、当業者は、その他の適切な接着剤を選択し、その他の方法、例えば、熱硬化方法等のようなで接着剤を硬化させてもよいことを理解すべきである。
【００３９】
注意すべき点は、前記レンズホルダ３０の対応する位置でディスペンス動作を完了させた後、前記光学レンズ２０を前記レンズホルダ３０に封止するプロセス中で接着剤による前記光学レンズ２０への汚れを防止するために接着剤を先に半硬化させても良い。言い換えれば、接着剤がディスペンスによって前記レンズホルダ３０に塗布された後、先ずは、接着剤を粘性と可塑性を有するように半硬化状態にし、前記光学レンズ２０の下端面が前記レンズホルダ３０に取り付けられ、かつ前記固定焦点カメラモジュールに対する焦点調節が完了した後、接着剤を完全に硬化させることで前記光学レンズ２０と前記レンズホルダ３０との間に位置する前記接着層４０を形成してもよい。これにより、前記光学レンズ２０が前記接着層４０によって合焦後の位置に保持される一方、前記光学レンズ２０と前記レンズホルダ３０との接続部が前記接着層４０によって封止されている。もちろん、前記半硬化の状態を経由せず、焦点調節動作の後に接着剤を直接硬化させて前記接着層４０を形成しても良い。
【００４０】
本発明に係る前記固定焦点カメラモジュールの実装プロセスでは、前記接着層４０は、前記光学レンズ２０の中心軸線と前記感光素子１０の中心軸線とが重なるように、前記光学レンズ２０と前記レンズホルダ３０とのアライメントの度合いを向上させることができ、それによって前記固定焦点カメラモジュールの結像品質を向上させる。すなわち、前記接着層４０は、前記光学レンズ２０の製品誤差および前記レンズホルダ３０の製品誤差並びに前記光学レンズ２０と前記レンズホルダ３０の取り付け誤差を補うことができ、それによって前記固定焦点カメラモジュールの結像品質を向上させる。
【００４１】
図２および図３を参照すると、前記固定焦点カメラモジュールは、回路基板５０をさらに備え、前記光学レンズ２０と前記感光素子１０との位置が互いに対応するように、前記感光素子１０は前記回路基板５０に貼り付けられ、前記レンズホルダ３０は前記回路基板５０に設けられる。好ましくは、前記回路基板５０は、ＰＣＢ回路基板（Ｐｒｉｎｔｅｄ  Ｃｉｒｃｕｉｔ  Ｂｏａｒｄ，プリント回路基板）であってもよく、前記感光素子１０が前記回路基板５０に貼り付けられた後、前記回路基板５０は前記感光素子１０の平坦度を維持することができる。それにもかかわらず、当業者であれば理解できるように、前記回路基板５０は、前記感光素子１０と前記電子機器の他の構成要素とを接続することができる任意の構造であってもよく、例えば、前記回路基板５０はＦＰＣ回路基板（Ｆｌｅｘｉｂｌｅ  Ｐｒｉｎｔｅｄ  Ｃｉｒｃｕｉｔ，フレキシブルプリント回路基板）であってもよく、具体的にはＦＰＣ回路基板としての前記回路基板５０を補強部材（例えば金属材質の補強部材）に貼り付けた後、前記感光素子１０を前記補強部材に貼り付け、前記感光素子１０を前記回路基板５０に接続し、前記補強部材によって前記感光素子１０の平坦度を確保する。前記レンズホルダ３０は、前記回路基板５０に貼着されても良く、または前記回路基板５０に一体的に実装されても良い。即ち、前記レンズホルダ３０は、後述一体ベース３０００として実装されても良い。
【００４２】
本発明の前記固定焦点カメラモジュールでは、まず、前記感光素子１０を前記回路基板５０に固定し、その後、前記感光素子１０を前記回路基板５０にワイヤボンディング方式で接続することで前記感光素子１０を前記回路基板５０に貼り付けてもよい。理解できるように、ワイヤボンディングによる前記感光素子１０と前記回路基板５０との接続は一例に過ぎず、他の例では、前記感光素子１０は１つ又は複数のチップボンディングパッドを提供してもよく、前記回路基板５０は１つ又は複数の回路基板ボンディングパッドを提供してもよく、前記感光素子１０のチップボンディングパッドと前記回路基板５０の回路基板ボンディングパッドとを半田付けすることによって前記感光素子１０と前記回路基板５０の貼り付けを実現することもできる。前記感光素子１０は、ＣＯＢ（Ｃｈｉｐ  ｏｎ  Ｂｏａｒｄ）方式またはＦＣ（Ｆｌｉｐ  Ｃｈｉｐ）フリップチップ方式により前記回路基板５０に組み立てても良い。
【００４３】
また、前記固定焦点カメラモジュールは、フィルタエレメント６０をさらに備え、前記フィルタエレメント６０は、前記固定焦点カメラモジュールの結像品質を向上するために前記感光素子１０と前記光学レンズ２０との間に設けられている。物体によって反射された光が、前記光学レンズ２０から前記固定焦点カメラモジュールの内部に入り、前記フィルタエレメント６０によってフィルタリングされた後、さらに前記感光素子１０によって受光されて光電変換され、物体に関連する映像を生成する。すなわち、前記フィルタエレメント６０は、前記光学レンズ２０から前記固定焦点カメラモジュールの内部に入った、物体によって反射された光の中の迷光をフィルタリングすることで、前記固定焦点カメラモジュールの結像品質を向上することができる。
【００４４】
注意すべき点は、前記フィルタエレメント６０の種類は限定されない。例えば、本発明の一例では、前記フィルタエレメント６０は、前記固定焦点カメラモジュールの内部に入った、物体によって反射された光の中の赤外線をフィルタリングする赤外線カットフィルタであってもよい。本発明の他の例では、前記フィルタエレメント６０は可視光カットフィルタであってもよい。また、前記フィルタエレメント６０は調節されてもよく、例えば前記フィルタエレメント６０は前記レンズホルダ３０に移動可能に配置されることもでき、前記フィルタエレメント６０の位置を変えることによって前記固定焦点カメラモジュールを異なる使用環境に適用する。
【００４５】
図３に示すように、前記フィルタエレメント６０は、前記光学レンズ２０と前記感光素子１０との間に保持されるように前記レンズホルダ３０の内部に実装されている。例えば、前記フィルタエレメント６０を前記レンズホルダ３０の内部に実装した後、前記回路基板５０を前記レンズホルダ３０に実装してもよい。その他の変形実施形態において、前記フィルター素子６０を前記光学レンズ２０に組み立てることも可能である。
【００４６】
図３に示すように、前記レンズホルダ３０の先端３０２の内部に内側凹溝３１が設けられ、前記フィルタエレメント６０は前記レンズホルダ３０の前記内側凹溝３１に実装されている。このようにして、前記固定焦点カメラモジュールの高さを効果的に低減可能であり、前記固定焦点カメラモジュールは、薄型軽量化が求められる前記電子機器に特に適するようになる。また、前記レンズホルダ３０の外部に外側凹溝３２が設けられ、一例では、前記光学レンズ２０は、前記接着層４０によって前記レンズホルダ３０の前記外側凹溝３２に直接封止されている。別の例では、前記接着層４０のみが前記レンズホルダ３０の前記外側凹溝３２に位置してもよい。このようにして、前記固定焦点カメラモジュールの高さをさらに効果的に低減することができ、前記固定焦点カメラモジュールは、薄型軽量化が求められる前記電子機器に特に適するようになる。即ち、前記レンズホルダ３０の先端３０２の外側と内側に、それぞれ、前記接着層４０と前記フィルター素子６０をそれぞれ保持するために用いられる前記外側凹溝３２と前記内側凹溝３１を有する。もちろん、理解できるように、その他の変形実施形態において、前記レンズホルダ３０の先端３０２は、前記の内へ凹む溝を有せず表面が平坦なものであり、前記接着層４０は、前記レンズホルダ３０の先端３０２に反対する外面と内面にそれぞれ設置されても良い。
【００４７】
本発明のこの実施形態に係る前記固定焦点カメラモジュールのプロセスは、ステップ１では、前記回路基板５０と前記感光素子１０とを一体的に固定し、かつ前記回路基板５０および前記感光素子１０をワイヤボンディングすることにより導通させ、それによって前記感光素子１０と前記回路基板５０とを導通する。
【００４８】
ステップ２では、前記フィルタエレメント６０を前記一体化ベース３０に実装し、例えば、本発明の図１２に示す例では、前記フィルタエレメント６０は前記一体化ベース３０の前記第２の凹溝３００４内に実装されてもよい。当業者は、本発明の前記固定焦点カメラモジュールを実装するプロセスにおいて、前記ステップ１と前記ステップ２は、前後の順序を区別しなくても良く、または前記ステップ１と前記ステップ２は並行しても良いことを理解すべきである。
【００４９】
ステップ３では、前記フィルタエレメント６０が前記回路基板５０に貼り付けられた前記感光素子１０に対応するように、前記回路基板５０と前記一体化ベース３０とを組み立てる。
【００５０】
ステップ４では、前記一体化ベース３０の対応する位置でディスペンスを行う。注意すべき点は、接着剤の量は、前記光学レンズ２０の下端面と接触するように接着剤の量を確保する必要があるなど、必要に応じて提供できる。注意すべき点は、接着剤の量は、接着剤の特性および塗布面積に依存する。
【００５１】
ステップ５では、前記光学レンズ２０と前記一体化ベース３０との間に接着剤が位置するように、かつ前記光学レンズ２０が前記感光素子１０の感光経路に位置するように、前記光学レンズ２０を前記一体化ベース３０に取り付ける。
【００５２】
ステップ６では、前記固定焦点カメラモジュールに対して焦点調節するために、前記光学レンズ２０の前記感光素子１０に対する位置を調節する。具体的には、前記感光素子１０が画像を出力できるように前記回路基板５０を介して前記感光素子１０に通電し、画像の鮮明度に応じて前記固定焦点カメラモジュールに対して焦点調節を行う。前記固定焦点カメラモジュールに対して焦点調節を行う方法は、前記焦点調節機構が前記光学レンズ２０の外面を挟持することによって前記光学レンズ２０の前記感光素子１０に対する位置を調節することであってもよい。本発明に係る前記固定焦点カメラモジュールは、前記固定焦点カメラモジュールの外部で前記固定焦点カメラモジュールに対する焦点調節を達成するので、前記焦点調節機構により前記光学レンズ２０の外面に固体粒子汚染物が生成したとしても、該固形粒子汚染物が前記固定焦点カメラモジュールの内部に侵入することがなく、前記固定焦点カメラモジュールの結像品質が向上される。注意すべき点は、本発明に係る前記固定焦点カメラモジュールに対して焦点調節動作を行うプロセスでは、前記光学レンズ２０の前記感光素子１０に対する位置を調節することにより、前記ズームカメラモジュールの焦点距離を調節することができるが、他の例では、前記一体化ベース３０を移動させること、すなわち、前記感光モジュール全体を移動させることにより、前記感光素子１０の前記光学レンズ２０に対する位置を調節しもよい。
【００５３】
ステップ７では、接着剤を硬化させることで前記光学レンズ２０と前記一体化ベース３０との間に位置する前記接着層４０を形成する。理解できるように、前記光学レンズ２０を前記感光素子１０の感光経路に保持するように、前記接着層４０は前記光学レンズ２０と前記一体化ベース３０との接続に適用可能であり、一方、前記接着層４０は、外部汚染物が前記光学レンズ２０と前記一体化ベース３０との接続部を通って前記ズームカメラモジュールの外部から内部に侵入することを防止することができ、さらに、前記接着層４０は、外部の光が前記光学レンズ２０と前記一体化ベース３０との接続部を通って前記ズームカメラモジュールの外部から内部に侵入することを防止することができる。また、前記接着層４０は、前記光学レンズ２０の製品誤差および前記一体化ベース３０の製品誤差並びに前記光学レンズ２０と前記一体化ベース３０００の取り付け誤差を補うことができ、前記光学レンズ２０と前記感光素子１０の相対的な傾きが防止され、それによって前記固定焦点カメラモジュールの結像品質の確保に有利である。
【００５４】
図４は、前記固定焦点カメラモジュールの一つの変形実施形態であり、本発明のこの実施例に係る前記固定焦点カメラモジュールと前記好ましい実施例に係る前記固定焦点カメラモジュールとの構造の相違点は、前記フィルタエレメント６０の実装位置である。具体的には、本発明のこの実施例に係る前記固定焦点カメラモジュールでは、前記フィルタエレメント６０は前記回路基板５０に配置され、前記フィルタエレメント６０は前記感光素子１０を覆っている。好ましくは、前記フィルタエレメント６０と前記感光素子１０とは直接的に貼り付けられている。前記回路基板５０が前記レンズホルダ３０に実装された後、前記フィルタエレメント６０は前記光学レンズ２０と前記感光素子１０との間に保持される。他の変形実施形態では、前記レンズホルダ３０は、前記フィルタエレメント６０、前記感光素子１０および前記回路基板５０を一体的に被覆可能であり、それによって一体構造を形成する。
【００５５】
図５Ａは、前記固定焦点カメラモジュールの他の変形実施形態であり、本発明のこの実施例に係る前記固定焦点カメラモジュールと前記好ましい実施例に係る前記固定焦点カメラモジュールとの構造の相違点は、前記フィルタエレメント６０の実装位置である。具体的には、本発明のこの実施例に係る前記固定焦点カメラモジュールでは、前記フィルタエレメント６０は、前記光学レンズ２０に近くなるように前記レンズホルダ３０の外側凹溝３１に実装され、前記レンズホルダ３０の先端３０２に実装された前記フィルタエレメント６０は、前記光学レンズ２０と前記感光素子１０との間に保持されることができる。すなわち、前記外側凹溝は、前記フィルタエレメント６０の取り付けに適用可能で、かつ前記接着層４０のための取り付けスペースを提供することができる。
【００５６】
注意すべき点は、いくつかの実施例では、前記光学レンズ２０の一部を前記フィルタエレメント６０に取り付け、一部を前記レンズホルダ３０に取り付けてもよい。すなわち、前記フィルタエレメント６０の取り付け後、前記光学レンズ２０の下端または前記フィルタエレメント６０および前記レンズホルダ３０の先端に接着剤を設けた後、前記光学レンズ２０、前記レンズホルダ３０および前記フィルタエレメント６０の間に前記接着層４０を形成してもよい。
【００５７】
図５Ｂは、前記固定焦点カメラモジュールのさらに他の変形実施形態である。本実施形態では、前記レンズホルダ３０の上面が平面構造であり、すなわち、前記レンズホルダ３０は、前記第１の凹溝３００３および前記第２の凹溝３００４を有していない。
前記接着層４０は、前記一体化ベース３０００の先端と前記光学レンズ２０との間に設けられている。前記フィルタエレメント６０は、前記一体化ベース３０００の先端に設けられている。より具体的には、前記フィルタエレメント６０は、前記光学レンズ２０の内側に位置している。
【００５８】
図６に示すように、本発明の１つの側面により、１つの例示として、本発明は、固定焦点カメラモジュールの製造方法６００を更に提供し、前記製造方法６００は、
（ａ）回路基板５０に感光素子１０を貼着するステップ６１０と、
（ｂ）前記回路基板５０をレンズホルダ３０に実装するステップ６２０と、
（ｃ）前記光学レンズ２０を、前記レンズホルダ３０から外へ向けて突出するとともに、前記感光素子１０の感光経路に保持されるように、前記レンズホルダ３０の先端３０２に実装することによる前記固定焦点カメラモジュールを作成するステップ６３０と、を含む。前記ステップの前後順序が限定されないことは理解できる。例えば、先に前記回路基板５０に前記レンズホルダ３０を設置し、それから、前記回路基板５０に前記感光素子１０を貼着しても良い。
【００５９】
さらに、前記ステップ（ａ）は、
（ａ．１）前記感光素子１０を前記回路基板５０に固定するステップと、
（ａ．２）ワイヤボンディングの方法によって前記感光素子１０と前記回路基板５０を電気的に接続し、前記感光素子１０を前記回路基板５０に貼着するステップと、更に含む。
１つの実施形態において、前記ステップ（ｂ）の前に、フィルター素子６０をレンズホルダ３０に実装するステップを更に含み、前記ステップ（ｂ）において、前記フィルター素子６０を、前記回路基板５０と前記感光素子１０の対応する位置に貼着する。好ましくは、前記レンズホルダ３０は、内側凹溝３１を有し、前記フィルター素子６０は、前記レンズホルダ３０の前記内側凹溝３１に実装され、それによって前記固定焦点カメラモジュールの高さを小さくする。
【００６０】
他の実施形態において、前記ステップ（ｂ）の前に、前記フィルター素子６０を前記回路基板５０に実装するステップを更に含み、前記フィルター素子６０は、前記感光素子１０の感光面を覆っている。
【００６１】
さらに、前記方法においては、前記光学レンズ２０と前記レンズホルダ３０との間に接着層４０を設けて、前記固定焦点カメラモジュールに対して焦点調節動作を行った後、前記接着層４０を硬化させる。
【００６２】
さらに、前記方法においては、前記光学レンズ２０と前記レンズホルダ３０の少なくとも１つに対しディスペンスを行い、前記固定焦点カメラモジュールに対して焦点調節動作を行った後、接着剤を硬化させることによって、前記光学レンズ２０と前記レンズホルダ３０との間に前記接着層４０を形成する。好ましくは、前記レンズホルダ３０は、外側凹溝３２を有し、前記接着層４０は、前記光学レンズ２０を前記レンズホルダ３０の前記外側凹溝３２に直接実装し、それによって前記固定焦点カメラモジュールの高さを小さくする。
【００６３】
本発明のもう１つの側面により、本発明は、固定焦点カメラモジュールの製造方法を提供し、前記製造方法は、
【００６４】
レンズホルダ３０と光学レンズ２０との間に、接着剤がレンズホルダ３０と光学レンズ２０との接続部を密封するようにディスペンスを行うステップと、
前記レンズホルダ３０の外部に前記光学レンズ２０を固定し前記光学レンズ２０の前記レンズホルダ３０に相対する位置を調節して、前記固定焦点カメラモジュールを作成するステップを含み、前記焦点調節機構により前記光学レンズ２０の外表面に生じる固体粒子等の汚染物が接着剤に阻止され、それによって固体粒子等の汚染物が前記レンズホルダ３０と前記光学レンズ２０との接続部を通って前記固定焦点カメラモジュールの外部から内部へ進入するのを防止される。
【００６５】
更に、前記方法で、前記固定焦点カメラモジュールに対して焦点調節動作を行った後、接着剤を硬化させることによって、前記光学レンズ２０と前記レンズホルダ３０との間に接着層４０を形成する。
【００６６】
本発明の他の局面により、固定焦点カメラモジュールの製造方法であって、
レンズホルダ３０の外部に光学レンズ２０を固定し、前記光学レンズ２０の前記レンズホルダ３０に相対する位置を調節するステップと、
前記レンズホルダ３０と前記光学レンズ２０の間に、前記レンズホルダ３０と前記光学レンズ２０との接続部を密封するように接着層４０を形成して前記固定焦点カメラモジュールを作成するステップとを含み、前記光学レンズ２０の外表面に生成された固体粒子等の汚染物が接着剤に阻止され、それによって固体粒子等の汚染物が前記レンズホルダ３０と前記光学レンズ２０との接続部を通って前記固定焦点カメラモジュールの外部から内部へ進入するのを防止される固定焦点カメラモジュールの製造方法を提供する。
【００６７】
即ち、適切な焦点調節機構と固定遮光機構によって、まずは前記光学レンズ２０と前記レンズホルダ３０との間の相対位置、即ち、前記光学レンズ２０と前記感光素子１０との間の相対位置を決定し、その後、ディスペンスを行い、接着剤を硬化させて、前記光学レンズ２０を前記レンズホルダ３０の先端に固定する。
【００６８】
図７Ａは、本発明の第２の好ましい実施例に係る固定焦点カメラモジュールを示す断面概略図である。
【００６９】
本発明のこの実施例では、前記固定焦点カメラモジュールは、感光モジュール１００および前記光学レンズ２０を含み、前記光学レンズ２０は、前記感光モジュール１００の先端に実装され、前記光学レンズ２０は、前記感光モジュール１００の感光経路に位置している。
【００７０】
前記感光モジュール１００は、感光素子１０、回路基板５０、一体化ベース３０００を含み、前記感光素子１０が前記回路基板５０に電気的に接続され、前記一体化ベース３０００が前記回路基板５０に一体的に成形されている。
【００７１】
前記一体化ベース３０００は、成形本体３００１を含み、かつ光窓３００２を有し、前記成形本体３００１は前記回路基板５０に一体的にモールド成形され、その中央部に前記光窓３００２が形成され、前記感光素子１０に光路を提供する。
【００７２】
本発明のこの実施例では、前記光学レンズ２０は、前記感光素子１０の感光経路に位置して前記固定焦点カメラモジュールを構成するように、前記一体化ベース３０００の上部に直接実装されている。つまり、本発明の前記固定焦点カメラモジュールは、従来技術の鏡筒構造を設ける必要がなく、このようにして前記光学レンズ２０の周りにおける前記固定焦点カメラモジュールの体積を小さくすることができる。前記固定焦点カメラモジュールが電子機器に取り付けられるとき、前記固定焦点カメラモジュールが占有する前記電子機器の空間をできるだけ最小限に抑えることができ、それにより前記電子機器には他のコンポーネントを取り付けるための空間がより多く残される。
【００７３】
また、本発明の前記固定焦点カメラモジュールは、従来技術の鏡筒構造を設ける必要がなく、前記光学レンズ２０を前記一体化ベース３０００に直接実装し、このようにして、原料の使用を低減することで前記固定焦点カメラモジュールのコストが低減され、それによって前記固定焦点カメラモジュールの製品競争力が向上した。
【００７４】
さらに、本発明のこの実施例では、前記一体化ベース３０００は、前記回路基板５０上にモールド成形により一体的に設けられ、良好な表面平坦性を有し、前記光学レンズ２０に対してさらに平坦な取り付け面を提供する。
【００７５】
前記感光モジュール１００は、前記感光素子１０の感光動作のために前記回路基板５０に電気的に接続された回路素子５１を備える。前記回路素子５１は、例えば、抵抗、コンデンサ、ダイオード、トライオード、ポテンショメータ、リレー、ドライバーなどであってもよいが、これらに限定されない。
【００７６】
注意すべき点は、前記成形本体３００１は前記回路素子５１を内部に覆うことができ、それによって前記回路素子５１は空間内に直接露出することがなく、より具体的には前記感光素子１０と連通する閉鎖環境に露出することがない。従来のカメラモジュールにおける回路デバイスの存在方式とは異なり、例えば抵抗容量デバイスが回路基板５０から突出するという方式により、前記回路素子５１におけるゴミや異物の残りによる前記感光素子１０への汚染が防止される。本発明のこの実施例では、前記回路素子５１は、前記回路基板５０から突出していることを例として説明され、本発明の他の実施例では、前記回路素子５１は、前記回路基板５０から突出せずに、前記回路基板５０の内部に埋め込まれており、当業者であれば、前記回路素子５１の構造、種類および配置される位置が本発明を限定するものではないことを理解するであろう。理解できるように、従来のカメラモジュールでは、回路デバイスが前記回路基板５０から突出しており、ベースが前記回路素子５１の外側のみに取り付け可能であるため、前記回路デバイスと前記ベースとの両方にはある程度の空間的な位置が必要となるため、回路基板５０の横方向におけるサイズに対する要求は高い。本発明の一体型実装プロセスによるカメラモジュールに対して、前記成形本体３００１が前記回路基板５０に一体的に実装されるとともに前記回路素子５１を覆っているため、前記成形本体３００１と前記回路素子５１が空間内で重なり合うことにより、前記成形本体３００１の内側への配置可能な空間が増加され、前記回路基板５０の外部への延在要求が低減され、それによって前記カメラモジュールの横方向におけるサイズが低減され、小型化機器のニーズを満たすことができる。
【００７７】
注意すべき点は、前記成形本体３００１が前記回路素子５１を覆うことで、前記回路素子５１を汚染や誤った接触から保護するという利点があり、同時に、対応するカメラモジュールにも有利である。しかしながら、前記成形本体３００１が前記回路素子５１を覆うことに限定されないことを当業者は理解すべきである。すなわち、本発明の他の実施例では、前記成形本体３００１は、前記回路素子５１の突出していない前記回路基板５０に直接成形されてもよいし、前記回路素子５１の外側、周囲などの異なる位置に成形されてもよい。
【００７８】
本発明のこの実施例では、前記成形本体３００１が前記感光素子１０の外側を凸に包囲してなり、特に、前記成形本体３００１が良好な密封性を有するように一体的に閉鎖接続され、それによって前記光学レンズ２０が前記感光素子１０の感光経路に装着されるとき、前記感光素子１０が内部に封止され、対応する閉鎖内部空間が形成される。
【００７９】
前記感光素子１０は、少なくとも１本の接続線１１を介して前記回路基板５０に電気的に接続されている。前記接続線１１は、例えば、金線、銅線、アルミ線、銀線、パッド、導線、ピンとして実現することができるが、これらに限定されるものではない。
【００８０】
具体的には、前記感光モジュール１００を製造する際に、前記回路基板５０として従来の回路基板５０を選択して、前記回路基板５０の表面で成形を行うことができる。例えば、一実施例では、ＳＭＴプロセス（Ｓｕｒｆａｃｅ  Ｍｏｕｎｔ  Ｔｅｃｈｎｏｌｏｇｙ，表面実装技術）が施された後の回路基板５０を、モールド成形ダイを用いてインサート成形（Ｉｎｓｅｒｔ  Ｍｏｌｄｉｎｇ）プロセスによって一体的に実装することができ、例えば、モールドパッケージにより前記成形本体３００１を形成するか、または半導体パッケージで一般的に用いられるモールドプレスプロセスにより前記成形本体３００１を形成する。さらに、各前記感光素子１０を前記回路基板５０に貼り付けた後、各前記感光素子１０と前記回路基板５０とを金線ワイヤボンディングなどによって電気的に接続する。前記回路基板５０は、例えば、リジッドフレックスボード、セラミック基板（ソフトボードなし）、ＰＣＢハードボード（ソフトボードなし）などを選択することができるが、これらに限定されない。前記成形本体３００１の形成方法は、例えば、射出成形法、プレス成形法などが挙げられるが、これらに限定されるものではない。前記成形本体３００１の材料は、射出成形法の場合では、ナイロン、ＬＣＰ（Ｌｉｑｕｉｄ  Ｃｒｙｓｔａｌ  Ｐｏｌｙｍｅｒ，液晶ポリマー）、ＰＰ（Ｐｏｌｙｐｒｏｐｙｌｅｎｅ，ポリプロピレン）などから選択することができ、プレス成形法の場合ではエポキシ樹脂を採用することができるが、これらに限定されない。前述の選択可能な製造方法および選択可能な材料は、本発明の実施形態の単なる例示であり、本発明を限定することを意図するものではないことは、当業者には理解すべきである。
【００８１】
本発明の他の実施例では、前記感光モジュール１００の製造プロセスはさらに、前記回路基板５０にＳＭＴ処理を施した後、前記回路基板５０に前記感光素子１０を貼り付け、前記感光素子１０と前記回路基板５０とを金線ワイヤボンディングなどにより電気的に接続し、前記回路基板５０をモールドパッケージなどにより一体的に実装し、前記成形本体３００１をインサート成形によって形成するか、または半導体パッケージで一般的に用いられるモールドプレスによって形成してもよい。当業者であれば、前記感光モジュール１００の製造順序が本発明を限定するものではないことを理解すべきである。
【００８２】
本発明に係る前記固定焦点カメラモジュールを実装するプロセスでは、前記焦点調節機構が前記光学レンズ２０の外部で前記光学レンズ２０を固定することで、前記光学レンズ２０の前記感光素子１０に対する位置を調整して、前記固定焦点カメラモジュールの結像品質を向上させることができる。例えば、前記光学レンズおよび／または前記感光モジュールに対して、前記光学レンズ２０および前記感光モジュール１００の光軸が一致するように積極的に較正する。従って、このプロセスにおいて、前記焦点調節機構によって前記光学レンズ２０には固体粒子などの汚染物が発生しても、該固体粒子などの汚染物が前記固定焦点カメラモジュールの内部に侵入することはなく、該固体粒子などの汚染物によるダストやデッドピクセルの発生が防止され、それによって前記固定焦点カメラモジュールの結像品質が確保される。該固体粒子などの汚染物が生じた後、該固体粒子などの汚染物が多くとも前記固定焦点カメラモジュールの外面に付着し、前記固定焦点カメラモジュールが実装された後、前記固定焦点カメラモジュールの外面に付着した固体粒子などの汚染物が洗浄によって除去されることができ、前記固定焦点カメラモジュールを前記電子機器に配置して使用するプロセスの結像品質が確保される。
【００８３】
更に、図７Ａに示すように、前記固定焦点カメラモジュールは、前記光学レンズ２０と前記一体化ベース３０００との間に位置して前記光学レンズ２０を前記一体化ベース３０００に直接封止するための接着層４０を備える。それに応じて、前記接着層４０は前記光学レンズ２０の環状外縁と前記一体化ベース３０００とを接続する環状とされ、好ましくは、不透光性材料から形成される。注意すべき点は、前記接着層４０は、前記光学レンズ２０と前記一体化ベース３０００とを接続できるだけでなく、前記光学レンズ２０と前記一体化ベース３０００との接続部を封止するために使用することもできる。それによって、該固体粒子などの汚染物または外部の汚染物または外部の光が前記光学レンズ２０と前記一体化ベース３０００との接続部を通って前記固定焦点カメラモジュールの外部から前記固定焦点カメラモジュールの内部に侵入することが防止され、前記固定焦点カメラモジュールの結像品質の確保に有利である。
【００８４】
前記接着層４０は、前記光学レンズ２０と前記一体化ベース３０００との接続部に形成されている。具体的には、前記光学レンズ２０および前記一体化ベース３０００の少なくとも一方の対応する位置でディスペンスを選択的に行い、ディスペンス動作完了後、前記光学レンズ２０と前記一体化ベース３０００との間に接着剤が位置するように、前記光学レンズ２０の下端面を前記一体化ベース３０００に取り付け、前記光学レンズ２０をその外部で固定するように前記固定焦点カメラモジュールに対して焦点調節させ、合焦完了後、接着剤を硬化させることで前記光学レンズ２０と前記一体化ベース３０００との間に位置する前記接着層４０を形成する。好ましくは、接着剤による前記光学レンズ２０の汚れを防止するために、前記一体化ベース３０００の対応する位置のみでディスペンスを行ってもよい。より好ましくは、紫外線（Ｕｌｔｒａｖｉｏｌｅｔ  Ｒａｙｓ，ＵＶ光）を接着剤に照射することによって接着剤を硬化させてもよく、すなわち、前記接着層４０は、ＵＶ硬化型接着剤を使用してもよい。もちろん、当業者であれば、他の適切な接着剤を使用し、接着剤を熱硬化のような他の手段によって硬化させても良いことを理解すべきである。
【００８５】
注意すべき点は、前記一体化ベース３０００の対応する位置でディスペンス動作を完了させた後、前記光学レンズ２０を前記一体化ベース３０００に封止するプロセス中で接着剤による前記光学レンズ２０への汚れを防止するために接着剤を先に半硬化させてもよい。言い換えれば、接着剤がディスペンスによって前記一体化ベース３０００に塗布された後、先ずは、接着剤を粘性と可塑性を有するように半硬化状態にし、前記光学レンズ２０の下端面が前記一体化ベース３０００に取り付けられ、かつ前記固定焦点カメラモジュールに対する焦点調節が完了した後、接着剤を完全に硬化させることで前記光学レンズ２０と前記一体化ベース３０００との間に位置する前記接着層４０を形成してもよい。これにより、前記光学レンズ２０が前記接着層４０によって合焦後の位置に保持される一方、前記光学レンズ２０と前記一体化ベース３０００との接続部が前記接着層４０によって封止されている。もちろん、前記半硬化状態にせずに、焦点調節動作後に接着剤を直接硬化させて前記接着層４０を形成してもよい。
【００８６】
本発明に係る前記固定焦点カメラモジュールの実装プロセスでは、前記接着層４０は、前記光学レンズ２０の中心軸線と前記感光素子１０の中心軸線とが重なるように、前記光学レンズ２０および前記一体化ベース３０００の平坦度を向上させることができ、それによって前記固定焦点カメラモジュールの結像品質を向上させる。すなわち、前記接着層４０は、前記光学レンズ２０の製品誤差および前記一体化ベース３０００の製品誤差並びに前記光学レンズ２０と前記一体化ベース３０００の取り付け誤差を補うことができ、それによって前記固定焦点カメラモジュールの結像品質を向上させる。
【００８７】
本発明のこの実施例では、前記フィルタエレメント６０は、前記固定焦点カメラモジュールの結像品質を向上するために前記感光素子１０と前記光学レンズ２０との間に設けられている。物体によって反射された光が、前記光学レンズ２０から前記固定焦点カメラモジュールの内部に入り、前記フィルタエレメント６０によってフィルタリングされた後、さらに前記感光素子１０によって受光されて光電変換され、物体に関連する映像を生成する。すなわち、前記フィルタエレメント６０は、前記光学レンズ２０から前記固定焦点カメラモジュールの内部に入った、物体によって反射された光の中の迷光をフィルタリングすることで、前記固定焦点カメラモジュールの結像品質を向上させることができる。具体的に、前記フィルタエレメント６０は、前記一体化ベース３０００に設けられている。
図７Ａに示すように、前記一体化ベース３０００は、第１の凹溝３００３と第２の凹溝３００４とを有し、前記フィルタエレメント６０および前記光学レンズ２０を取り付けやすくするために、前記第１の凹溝３００３と前記第２の凹溝３００４が前記光窓３００２と連通している。このようにして、前記固定焦点カメラモジュールの高さを効果的に低減可能であり、前記固定焦点カメラモジュールは、薄型軽量化が求められる前記電子機器に特に適するようになる。
【００８８】
より具体的には、前記フィルタエレメント６０は前記第１の凹溝３００３に取り付けられ、前記光学レンズ２０は前記第２の凹溝３００４に取り付けられている。注意すべき点は、本発明のこの実施例では、前記一体化ベース３０００は、モールド成形により一体的に形成され、良好な表面平坦性を有するので、前記第１の凹溝３００３および前記第２の凹溝３００４の内側面がいずれも平坦であり、前記フィルタエレメント６０および前記光学レンズ２０に対して平坦な取り付け面を提供する。
【００８９】
すなわち、前記固定焦点カメラモジュールを製造する際には、前記一体化ベース３０００および前記第２の凹溝３００４または前記光学レンズ２０の底部に接着剤などの媒体を塗布することで、前記光学レンズ２０と前記第２の凹溝３００４の内面との間に前記接着層４０を形成してもよい。それによって前記光学レンズ２０は前記一体化ベース３０００に安定して取り付けられ、固定焦点カメラモジュールを形成する。もちろん、前記光学レンズ２０を固定する前に、前記焦点調節機構により前記カメラモジュールを調整する必要があり、前記光学レンズ２０と前記感光モジュール１００との相対位置を調整することで前記固定焦点カメラモジュールの結像品質を向上させる。
【００９０】
本発明のこの実施形態に係る前記固定焦点カメラモジュールのプロセスは、ステップ１では、前記回路基板５０と前記感光素子１０とを一体的に固定し、かつ前記回路基板５０および前記感光素子１０をワイヤボンディングすることにより導通させ、それによって前記感光素子１０と前記回路基板５０とを導通する。
【００９１】
ステップ２では、前記フィルタエレメント６０を前記一体化ベース３０００に実装し、例えば、本発明の図７に示す例では、前記フィルタエレメント６０は前記一体化ベース３０００の前記第１の凹溝３００３内に実装されてもよい。
【００９２】
ステップ３では、前記フィルタエレメント６０が前記回路基板５０に貼り付けられた前記感光素子１０に対応するように、前記回路基板５０と前記一体化ベース３０００とを組み立てる。
【００９３】
ステップ４では、前記一体化ベース３０００の対応する位置でディスペンスを行う。注意すべき点は、接着剤の量は、前記光学レンズ２０の下端面と接触するように接着剤の量を確保する必要があるなど、必要に応じて提供できる。注意すべき点は、接着剤の量は、接着剤の特性および塗布面積に依存する。
【００９４】
ステップ５では、前記光学レンズ２０と前記一体化ベース３０００との間に接着剤が位置するように、かつ前記光学レンズ２０が前記感光素子１０の感光経路に位置するように、前記光学レンズ２０を前記一体化ベース３０００に取り付ける。
【００９５】
ステップ６では、前記固定焦点カメラモジュールに対して焦点調節するために、前記光学レンズ２０の前記感光素子１０に対する位置を調整する。具体的には、前記感光素子１０が画像を出力できるように前記回路基板５０を介して前記感光素子１０に通電し、画像の鮮明度に応じて前記固定焦点カメラモジュールに対して焦点調節を行う。前記固定焦点カメラモジュールに対して焦点調節を行う方法は、前記焦点調節機構が前記光学レンズ２０の外面を挟持することによって前記光学レンズ２０の前記感光素子１０に対する位置を調整することであってもよい。本発明に係る前記固定焦点カメラモジュールは、前記固定焦点カメラモジュールの外部で前記固定焦点カメラモジュールに対する焦点調節を達成するので、前記焦点調節機構により前記光学レンズ２０の外面に固体粒子汚染物が生成したとしても、該固形粒子汚染物が前記固定焦点カメラモジュールの内部に侵入することがなく、前記固定焦点カメラモジュールの結像品質が向上される。注意すべき点は、本発明に係る前記固定焦点カメラモジュールに対して焦点調節動作を行うプロセスでは、前記光学レンズ２０の前記感光素子１０に対する位置を調整することにより、前記ズームカメラモジュールの焦点距離を調整することができるが、他の例では、前記一体化ベース３０００を移動させること、すなわち、前記感光モジュール１００全体を移動させることにより、前記感光素子１０の前記光学レンズ２０に対する位置を調整しもよい。
【００９６】
ステップ７では、接着剤を硬化させることで前記光学レンズ２０と前記一体化ベース３０００との間に位置する前記接着層４０を形成する。理解できるように、前記光学レンズ２０を前記感光素子１０の感光経路に保持するように、前記接着層４０は前記光学レンズ２０と前記一体化ベース３０００との接続に適用可能であり、一方、前記接着層４０は、外部汚染物が前記光学レンズ２０と前記一体化ベース３０００との接続部を通って前記ズームカメラモジュールの外部から内部に侵入することを防止することができ、さらに、前記接着層４０は、外部の光が前記光学レンズ２０と前記一体化ベース３０００との接続部を通って前記ズームカメラモジュールの外部から内部に侵入することを防止することができる。また、前記接着層４０は、前記光学レンズ２０の製品誤差および前記一体化ベース３０００の製品誤差並びに前記光学レンズ２０と前記一体化ベース３０００の取り付け誤差を補うことができ、前記光学レンズ２０と前記感光素子１０の相対的な傾きが防止され、それによって前記固定焦点カメラモジュールの結像品質の確保に有利である。
【００９７】
図７Ｂは、本発明の第２の好ましい実施例に係る固定焦点カメラモジュールの変形実施形態である。本実施形態では、前記一体化ベース３０００の上面が平面構造であり、すなわち、前記一体化ベース３０００は、前記第１の凹溝３００３および前記第２の凹溝３００４を有していない。
【００９８】
前記接着層４０は、前記一体化ベース３０００の先端と前記光学レンズ２０との間に設けられている。前記フィルタエレメント６０は、前記一体化ベース３０００の先端に設けられている。より具体的には、前記フィルタエレメント６０は、前記光学レンズ２０の内側に位置している。
【００９９】
図８は、本発明の第２の好ましい実施例に係る第１の変形実施形態である。本発明のこの実施例において、前記フィルタエレメント６０は前記感光素子１０を被覆している。前記フィルタエレメント１０の被覆方法は、接着固定することによって前記感光素子１０に被覆することが例示されるが、これらに限定されない。例えば、複合することによって前記感光素子１０に設けられること、貼り付けの方式で前記感光素子１０に被覆することなどがある。前記光学レンズ２０が感光モジュール１００の前記一体化ベース３０００に実装されたとき、前記フィルタエレメント６０は前記光学レンズ２０と前記感光素子１０との間に保持される。
【０１００】
さらに、前記一体化ベース３０００は前記光学レンズ２０を取り付けるための前記第２の凹溝３００４を有し、すなわち、本発明のこの実施例では、前記一体化ベース３０００は、前記フィルタエレメント６０を取り付けるための第１の凹溝３００３を有さない。
図９は、本発明の第２の好ましい実施例に係る第２の変形実施形態である。本発明のこの実施形態では、前記一体化ベース３０００は前記第２の凹溝３００４を有し、前記フィルタエレメントおよび前記光学レンズは前記第２の凹溝３００４に取り付けられている。前記フィルタエレメント６０は、前記光学レンズ２０に更に隣接するように前記一体化ベース３０００の前記第２の凹溝３００４に実装され、前記一体化ベース３０００に実装された前記フィルタエレメント６０は、前記光学レンズ２０と前記感光素子１０との間に保持されることができる。すなわち、前記第２の凹溝３００４は、前記フィルタエレメント６０の取り付けに適用可能で、かつ前記接着層４０のための取り付けスペースを提供することができる。
【０１０１】
より具体的には、本発明のこの実施形態では、前記接着層４０は、前記光学レンズと前記フィルタエレメントとの間に設けられている。
【０１０２】
本発明のこの実施形態に係る前記固定焦点カメラモジュールは次のプロセスによって形成されてもよい。先ずは、前記回路基板５０上に前記一体化ベース３０００を一体的に成形し、前記回路基板５０上に前記感光素子１０を電気的に接続することにより、前記感光モジュール１００を形成する。次に、前記一体化ベース３０００の前記第２の凹溝３００４内に前記フィルタエレメント６０を取り付け、その後、前記フィルタエレメント６０の縁部位置に接着剤を設けるか、または前記光学レンズ２０の底端に接着剤を設ける。その後、前記フィルタエレメント６０と前記光学レンズ２０との間に接着剤が位置するように、かつ前記光学レンズ２０が前記感光素子６０の感光経路に位置するように、前記光学レンズ２０を前記フィルタエレメント６０に取り付ける。さらに、前記固定焦点カメラモジュールに対して焦点調節を行うために、前記光学レンズ２０の前記感光素子１０に対する位置を調整する。さらに、接着剤を硬化させて前記光学レンズ２０と前記フィルタエレメント６０との間に位置する前記接着層４０を形成する。
【０１０３】
図１０Ａは、本発明の第３の好ましい実施例に係る固定焦点カメラモジュールを示す概略図である。本発明のこの実施例では、前記一体化ベース３０００は前記第１の凹溝３００３と前記第２の凹溝３００４とを有しており、前記固定焦点カメラモジュールは、前記フィルタエレメント６０を取り付けるための支持ブラケット６１を備え、前記支持ブラケット６１は、前記第１の凹溝３００３に取り付けられている。
【０１０４】
前記接着層４０は、前記一体化ベース３０００と前記光学レンズ２０との間に設けられている。より具体的には、前記接着層４０は、前記第２の凹溝３００４に設けられている。すなわち、前記光学レンズ２０は、前記接着層４０を介して前記第２の凹溝３００４に取り付けられている。
【０１０５】
即ち、前記固定焦点カメラモジュールを組み立てるとき、前記フィルタエレメント６０を前記支持ブラケット６１に取り付けることができ、その後、前記支持ブラケット６１を前記第１の凹溝３００３に取り付け、前記支持ブラケット６１の表面の所定位置または前記光学レンズ２０の端部に接着剤を設ける。さらに前記一体化ベース３０００と前記光学レンズ２０との間に接着剤が位置するように、かつ前記光学レンズ２０が前記感光素子１０の感光経路に位置するように、前記光学レンズ２０を前記一体化ベース３０００に仮組みする。さらに、前記固定焦点カメラモジュールに対して焦点調節を行うために、前記光学レンズ２０の前記感光素子１０に対する位置を調整する。さらに、接着剤を硬化させて前記光学レンズ２０と前記一体化ベース３０００との間に位置する前記接着層４０を形成する。
【０１０６】
図１０Ｂは、本発明の第３の好ましい実施例に係る固定焦点カメラモジュールの変形実施形態を示す概略図である。本発明のこの実施例では、前記一体化ベース３０００は前記第２の凹溝３００４を有しており、前記固定焦点カメラモジュールは、前記フィルタエレメント６０を取り付けるための支持ブラケット６１を備え、前記支持ブラケット６１は、前記第２の凹溝３００４に取り付けられている。
【０１０７】
より具体的には、本発明のこの実施例では、前記接着層４０は、前記支持ブラケット６１と前記光学レンズ２０との間に設けられている。
【０１０８】
すなわち、前記固定焦点カメラモジュールを組み立てるとき、前記フィルタエレメント６０を前記支持ブラケット６１に取り付けることができ、その後、前記支持ブラケット６１を前記第２の凹溝３００４に取り付け、前記支持ブラケット６１の表面の所定位置または前記光学レンズ２０の端部に接着剤を設ける。さらに前記支持ブラケット６１と前記光学レンズ２０との間に接着剤が位置するように、かつ前記光学レンズ２０が前記感光素子１０の感光経路に位置するように、前記光学レンズ２０を前記支持ブラケット６１に仮組みする。さらに、前記固定焦点カメラモジュールに対して焦点調節を行うために、前記光学レンズ２０の前記感光素子１０に対する位置を調整する。さらに、接着剤を硬化させて前記光学レンズ２０と前記支持ブラケット６１との間に位置する前記接着層４０を形成する。図１１は、本発明の第４の好ましい実施例に係る固定焦点カメラモジュールである。本発明のこの実施例では、前記一体化ベース３０００は、前記回路基板と前記感光素子１０の少なくとも一部とを一体的に実装している。前記一体化ベースは前記接続線１１を覆う。すなわち、本発明のこの実施例では、前記一体化ベース３０００は、内側に向けて前記感光素子１０の縁部まで延びている。前記光学レンズ２０は、前記一体化ベース３０００に直接配置されている。
【０１０９】
注意すべき点は、前記一体化ベース３０００が前記回路基板５０と前記感光素子１０の少なくとも一部とを一体的に実装することにより、前記感光素子１０を前記回路基板５０に固定することができ、これにより、前記感光素子１０および前記回路基板５０を別々に固定する必要がなく、同時に前記一体化ベース３０００の実装可能な範囲が内方へ拡大し、前記感光モジュール１００の外部領域が低減されている。
【０１１０】
図１２は、本発明の第４の実施例に係る固定焦点カメラモジュールの一変形実施形態である。本発明のこの実施形態では、前記フィルタエレメント６０は前記感光素子１０を被覆しており、前記一体化ベース３０００は、前記回路基板５０と、前記感光素子１０の少なくとも一部と、前記フィルタエレメント６０の少なくとも一部とを一体的に実装している。
【０１１１】
即ち、このような実施形態では、前記一体化ベース３０００によって前記感光素子１０と前記フィルタエレメント６０とが固定されているため、別途の固定方法を必要としない。
【０１１２】
前記一体化ベース３０００は前記光学レンズ２０を取り付けるための前記第２の凹溝３００４を有し、すなわち、本発明のこの実施例では、前記一体化ベース３０００は、前記フィルタエレメント６０を取り付けるための第１の凹溝３００３を有さない。
【０１１３】
図１３〜１６は、本発明の第５の好ましい実施例に係る固定焦点カメラモジュールおよびその多群レンズである。
【０１１４】
前記固定焦点カメラモジュールは、前記レンズホルダ３０に直接取り付けられた多群レンズ９０を備える。すなわち、本発明のこの実施例では、前記光学レンズ２０は、前記多群レンズ９０である。
【０１１５】
さらに、前記多群レンズ９０は、前記接着層４０を介して前記レンズホルダ３０に直接取り付けられている。前記多群レンズ９０は、前記レンズホルダ３０の外部に露出している。
【０１１６】
前記多群レンズ９０は、複数のアセンブリユニット１０を含み、隣接する２つの前記アセンブリユニット１０が互いに取り合わせて組み立てられ、かつ光軸が一致している。
注意すべき点は、従来の固定焦点カメラモジュールでは、レンズが通常に鏡筒内に装着され、鏡筒を調整することによってレンズを調整する。同様に、複数のアセンブリユニットからなる前記多群レンズは、従来の固定焦点カメラモジュールでは、鏡筒などの部品に装着される必要があるので、各アセンブリユニット９０１０を直接的に調整することは不可能であり、かつ鏡筒部材が挟持しながら調整することにも適していない。本発明では、各前記アセンブリユニット９０１０が前記レンズホルダ３０の外部に直接露出しているので、前記固定焦点カメラモジュールを組み立てる際には、前記アセンブリユニット９０１０をそれぞれ調整しやすくなり、つまり、前記アセンブリユニット９０１０を所望により自由に選択して調整することができる。
【０１１７】
説明の便宜上、本発明のこの実施例では、２つの前記アセンブリユニット９０１０を用いて前記多群レンズ９０を構成することを例として説明しており、もちろん、本発明の他の実施例では、前記多群レンズ９０は、多く（例えば３つ以上）の前記アセンブリユニット９０１０を含んでもよく、本発明はこれらに限定されない。
【０１１８】
具体的には、前記多群レンズ９０は、２つの前記アセンブリユニット９０１０を含み、それぞれ上アセンブリユニット９０１１および下アセンブリユニット９０１２である。前記上アセンブリユニット９０１１および前記下アセンブリユニット９０１２は互いに取り合わせて組み立てられる。前記上アセンブリユニット９０１１および前記下アセンブリユニット９０１２は積層配置され、光軸の方向が一致している。
【０１１９】
前記上アセンブリユニット９０１１は、少なくとも１つの上部レンズ９０１１１と、上保持部材９０１１２とを含み、前記上部レンズ９０１１１は、前記上保持部材９０１１２内に光路に沿って順次配置される。好ましくは、前記上部レンズ９０１１１の数が複数であり、例えば２、３または３以上である。
【０１２０】
前記下アセンブリユニット９０１２は、少なくとも１つの下部レンズ９０１２１と、下保持部材９０１２２とを含み、前記下部レンズ９０１２１は、前記下保持部材９０１２２内に光路に沿って順次配置される。好ましくは、前記下部レンズ９０１２１の数が複数であり、例えば２、３または３以上である。
【０１２１】
さらに、本発明のこの実施例では、前記上アセンブリユニット９０１１の前記上保持部材９０１１２は、上保持本体９０１１２１および延長壁９０１１２２を含む。前記上保持本体９０１１２１は、各前記レンズを光路に沿って配置するように収容、装着するための中空構造である。言い換えると、前記上アセンブリユニット９０１１の各前記上部レンズ９０１１１は、光路を提供しやすくするために前記上保持本体９０１１２１の内部に取り付けられている。前記延長壁９０１１２２は、前記上保持本体９０１１２１の外部から外方へ向けて延びて、前記下アセンブリユニット９０１２の前記上保持部材９０１１２にラップ接合する。
【０１２２】
より具体的には、前記延長壁９０１１２２は、前記上保持本体９０１１２１の外部から一体的に外方へ延びている。いくつかの実施形態では、前記延長壁９０１１２２は、前記上保持本体９０１１２１から外方へ延びて環状鍔構造を形成する環状延長壁であってもよく、前記環状鍔構造が前記下アセンブリユニット９０１２の前記下保持部材９０１２２にラップ接合することによって前記上アセンブリユニット９０１１を安定的に支持する。
前記上アセンブリユニット９０１１と前記下アセンブリユニット９０１２とを固定するときに、前記上アセンブリユニット９０１１と前記下アセンブリユニット９０１２との間にＵＶ接着剤、熱硬化性接着剤、ＵＶ熱硬化性接着剤、エポキシ接着剤などの接着媒体９０１３を設けることで、前記上アセンブリユニット９０１１と前記下アセンブリユニット９０１２とを安定的に固定することができる。もちろん、本発明の他の実施例では、前記上アセンブリユニット９０１１と前記下アセンブリユニット９０１２は、熱溶接、超音波溶接、レーザ溶接、リベット締め、ファスニングおよびバックルなどの他の手段によって固定してもよく、本発明はこれらに限定されない。前記接着媒体９０１３および前記接着層４０は、同一の材質およびプロセスによって形成されてもよいし、異なる材質およびプロセスによって形成されてもよい。前記接着媒体９０１３は、ＵＶ接着剤、熱硬化性接着剤、ＵＶ熱硬化性接着剤、エポキシ接着剤、湿気硬化型接着剤、および感圧接着剤からなる群より選ばれる１種以上であってもよい。
【０１２３】
本発明のこの実施例によれば、前記下アセンブリユニット９０１２は、前記接着層４０を介して前記レンズホルダ３０に直接取り付けられる。
【０１２４】
前記上アセンブリユニット９０１１の前記上保持部材９０１１２の前記上保持本体９０１１２１は、前記延長壁９０１１２２の下方に位置する下スリーブ接続端部９０１１２１１を有し、前記下スリーブ接続端部９０１１２１１が前記下アセンブリユニット９０１２の前記下保持部材９０１２２にスリーブ接続される。言い換えれば、前記上アセンブリユニット９０１１の前記上保持部材９１１２の前記延長壁９０１１２２は、前記上保持本体９０１１２１を、上方に位置する部分と、前記下スリーブ接続端部９０１１２１１である下方に位置する部分、の２つの部分に区画している。前記上アセンブリユニット９０１１の前記上保持部材９０１１２の前記延長壁９０１１２２が前記下アセンブリユニット９０１２の前記下保持部材９０１２２にラップ接合するとき、前記下スリーブ接続端部９０１１２１１が前記下アセンブリユニット９０１２の前記下保持部材９０１２２にスリーブ接続される。
【０１２５】
前記下アセンブリユニット９０１２の前記下保持部材９０１２２は、下保持本体９０１２２１と上ラップ接合端部９０１２２２とを含む。前記下保持本体９０１２２１は、各前記下レンズ９０１２１を光路に沿って配置するように収容、装着するための中空構造である。言い換えれば、前記下アセンブリユニット９０１２の各前記下部レンズ９０１２１は、光路を提供するために前記下保持本体９０１２２１の内部に取り付けられている。前記上ラップ接合端部９０１２２２が前記下保持本体９０１２２１に一体的に接続され、前記上アセンブリユニット９０１１の前記上保持部材９０１１２に対応して動作し、前記上保持部材の前記延長壁９０１１２２が前記下保持部材９０１２２の前記上ラップ接合端部９０１２２２にラップ接合するとき、前記上アセンブリユニット９０１１の前記上保持部材９０１１２の前記下スリーブ接続端部９０１１２１１は、前記下保持部材９０１２２の前記上ラップ接合端部９０１２２２に延在して嵌入され、それによって前記下アセンブリユニット１２の前記下保持部材９０１２２は前記上アセンブリユニット９０１１の取り付け位置を規制する。
【０１２６】
言い換えれば、本発明のこの実施例では、前記延長壁９０１１２２および前記上ラップ接合端部９０１２２２は、前記上アセンブリユニット９０１１および前記下アセンブリユニット９０１２をスリーブ接続して組み立てるための組立構造を形成する。
前記上ラップ接合端部９０１２２２は、前記上アセンブリユニット９０１１に対してラップ接合支持位置を提供し、前記下保持本体９０１２２１内に位置する各前記下部レンズ９０１２１に対して光路を提供するための、内方へ延びる中空構造である。
【０１２７】
注意すべき点は、レンズ光軸の一致性および組立時間は、カメラモジュールの実際の生産アプリケーションにおける２つの重要な点である。本発明に係る前記多群レンズ９０からなる固定焦点カメラモジュールは、様々な方法で組み立てられることができ、各前記アセンブリユニット９０１０を直接挟持しながら調整しやすく、それによって、前記固定焦点カメラモジュールは、正確、便利かつ迅速に組み立てられる。
【０１２８】
例えば、１つの方法では、前記下アセンブリユニット９０１２を前記レンズホルダ３０に仮組みした後、焦点調節機構８０によって前記下アセンブリユニット９０１２を直接調整し、その後、前記接着層４０によって前記下アセンブリユニット９０１２を前記レンズホルダ３０に固定する。次に、前記下アセンブリユニット９０１２に前記上アセンブリユニット９０１１を仮組みし、前記焦点調節機構８０によって前記上アセンブリユニット９０１１を直接調整した後、前記接着媒体９０１３によって前記上アセンブリユニット９０１１を前記下アセンブリユニット９０１２に固定する。全ての前記アセンブリユニット９０１０が固定されるまで上記のステップを繰り返す。
【０１２９】
例えば、他の形態では、前記上アセンブリユニット９０１１と前記下アセンブリユニット９０１２を前記感光素子１０の感光経路に同時に仮組みすることができる。その後、仮組みされた前記固定焦点カメラモジュールが所定の結像要件に合致するように、前記焦点調節機構８０によって前記下アセンブリユニット９０１２および／または前記上アセンブリユニット９０１１を直接調整する。さらに、前記接着層４０によって前記下アセンブリユニット９０１２を前記レンズホルダ３０に固定し、前記接着媒体９０１３によって前記上アセンブリユニット９０１１を前記下アセンブリユニット９０１２に固定する。もちろん、先に各前記アセンブリユニット９０１０をフル機能のレンズに組み立ててもよく、すなわち、前記多群レンズ９０を先に組み立てた後、全体として前記レンズホルダ３０上に組み立ててもよい。
【０１３０】
注意すべき点は、本発明では、複数のアセンブリユニット９０１０が組み立てられて一体化レンズを構成しており、それによって各アセンブリユニット９０１０内のレンズ数が少なくなり、各ユニットの組立誤差が小さい。しかしながら、各前記アセンブリユニット９０１０からなる前記多群レンズ９０のレンズの総数が多いため、高画素化が可能であり、累積誤差も小さくなる。また、各前記アセンブリユニット９０１０を組み立てて前記多群レンズを形成するプロセスにおいて、焦点調節機構によって調整・組立を行うことができ、各前記アセンブリユニット９０１０間の相対誤差が小さくなり、さらにレンズ自体の製造誤差を調整補償することで、前記多群レンズ９０は良好な光学的整合性を有するようになる。各前記アセンブリユニット９０１０は、組立構造により互いに取り合わせて組み立てられるので、各アセンブリユニット９０１０が安定的に組み立てられて前記多群レンズ９０を構成し、かつ取り合わせて組み立てられることで前記多群レンズ９０の内部への外部迷光の侵入を遮蔽することができ、前記多群レンズ９０の光学系への干渉が防止される。そして、いくつかの実施形態では、各前記アセンブリユニット９０１０は、ＵＶ熱硬化性接着剤のような急速に成形可能な接着媒体９０１３によって固定することができ、前記係合構造を用いることで接着媒体に対して十分な紫外線照射領域を提供することができ、各前記アセンブリユニットを迅速かつ安定的に組立固定することができるので、生産効率が向上する。
【０１３１】
図１７は、本発明の第６の好ましい実施例に係る固定焦点カメラモジュールを示す断面概略図である。上記実施例とは異なり、前記多群レンズ９０は、前記一体化ベース３０００に直接取り付けられている。より具体的には、前記多群レンズ９０は、前記接着層４０によって前記一体化ベース３０００に直接固定されている。つまり、前記接着層４０は、前記多群レンズ９０と前記一体化ベース３０００との間に設けられている。
【０１３２】
前記固定焦点カメラモジュールを製造する場合、一体成形により前記一体化ベース３０００を有する前記感光素子を形成した後、前記一体化ベース３０００上に前記多群レンズ９０全体または前記アセンブリユニット９０１０のうちの１つを直接装着することで、前記多群レンズ９０が直接取り付けられ、別個の鏡筒部材を設ける必要がない。
【０１３３】
注意すべき点は、本発明のこの実施例では、前記一体化ベース３０００が一体成形により形成され、平坦な表面を有し、前記多群レンズ９０に対していっそう平坦な取り付け面を直接提供することができ、前記固定焦点カメラモジュールの結像品質の向上に有益である。
前記多群レンズ９０は、様々な方法で前記一体化ベース３０００に組み立てられてモールド成形型の前記固定焦点カメラモジュールを形成することができる。
【０１３４】
例えば、１つの方法では、前記下アセンブリユニット９０１２を前記一体化ベース３０００に仮組みした後、焦点調節機構８０によって前記下アセンブリユニット９０１２を直接調整し、その後、前記接着層４０によって前記下アセンブリユニット９０１２を前記一体化ベース３０００に固定する。次に、前記下アセンブリユニット９０１２に前記上アセンブリユニット９０１１を仮組みし、前記焦点調節機構８０によって前記上アセンブリユニット９０１１を直接調整した後、前記接着媒体９０１３によって前記上アセンブリユニット９０１１を前記下アセンブリユニット９０１２に固定する。全ての前記アセンブリユニット９０１０が固定されるまで以上のように行う。
【０１３５】
例えば、他の形態では、前記上アセンブリユニット９０１１と前記下アセンブリユニット９０１２を前記感光素子１０の感光経路に同時に仮組みすることができる。その後、仮組みされた前記固定焦点カメラモジュールが所定の結像要件に合致するように、前記焦点調節機構８０によって前記下アセンブリユニット９０１２および／または前記上アセンブリユニット９０１１を直接調整する。さらに、前記接着層４０によって前記下アセンブリユニット９０１２を前記一体化ベース３０００に固定し、前記接着媒体９０１３によって前記上アセンブリユニット９０１１を前記下アセンブリユニット９０１２に固定する。
例えば、他の方法では、複数の前記上アセンブリユニット９０１１と前記下アセンブリユニット９０１２を完全な多群レンズに組み立て、前記接着媒体９０１３によって前記多群レンズを前記下アセンブリユニット９０１２に固定することができる。その後、仮組みされた前記固定焦点カメラモジュールが所定の結像要件に合致するように、前記焦点調節機構８０によって前記多群レンズ９０を直接調整する。さらに、前記接着層４０によって前記多群レンズを前記一体化ベース３０００に固定する。
【０１３６】
当業者であれば、上記の説明および添付図面に示された本発明の実施例は単なる例示であって本発明を限定するものではないことを理解すべきである。
【０１３７】
本発明の目的は既に完全かつ効率的に達成された。本発明の機能および構造的原理は、既に実施例において示され、記載されており、前記原理から逸脱しない限り、本発明の実施形態に対して任意の変更または補正を行うことができる。
【図１】
2019519001.tif 000003
【図２】
2019519001.tif 000004
【図３】
2019519001.tif 000005
【図４】
2019519001.tif 000006
【図５Ａ】
2019519001.tif 000007
【図５Ｂ】
2019519001.tif 000008
【図６】
2019519001.tif 000009
【図７Ａ】
2019519001.tif 000010
【図７Ｂ】
2019519001.tif 000011
【図８】
2019519001.tif 000012
【図９】
2019519001.tif 000013
【図１０Ａ】
2019519001.tif 000014
【図１０Ｂ】
2019519001.tif 000015
【図１１】
2019519001.tif 000016
【図１２】
2019519001.tif 000017
【図１３】
2019519001.tif 000018
【図１４】
2019519001.tif 000019
【図１５】
2019519001.tif 000020
【図１６】
2019519001.tif 000021
【図１７】
2019519001.tif 000022
【手続補正書】
【提出日】平成31年2月21日(2019.2.21)
【手続補正１】
【補正対象書類名】明細書
【補正対象項目名】００５２
【補正方法】変更
【補正の内容】
【００５２】
ステップ６では、前記固定焦点カメラモジュールに対して焦点調節するために、前記光学レンズ２０の前記感光素子１０に対する位置を調節する。具体的には、前記感光素子１０が画像を出力できるように前記回路基板５０を介して前記感光素子１０に通電し、画像の鮮明度に応じて前記固定焦点カメラモジュールに対して焦点調節を行う。前記固定焦点カメラモジュールに対して焦点調節を行う方法は、前記焦点調節機構が前記光学レンズ２０の外面を挟持することによって前記光学レンズ２０の前記感光素子１０に対する位置を調節することであってもよい。本発明に係る前記固定焦点カメラモジュールは、前記固定焦点カメラモジュールの外部で前記固定焦点カメラモジュールに対する焦点調節を達成するので、前記焦点調節機構により前記光学レンズ２０の外面に固体粒子汚染物が生成したとしても、該固形粒子汚染物が前記固定焦点カメラモジュールの内部に侵入することがなく、前記固定焦点カメラモジュールの結像品質が向上される。注意すべき点は、本発明に係る前記固定焦点カメラモジュールに対して焦点調節動作を行うプロセスでは、前記光学レンズ２０の前記感光素子１０に対する位置を調節することにより、前記固定焦点カメラモジュールの焦点距離を調節することができるが、他の例では、前記一体化ベース３０を移動させること、すなわち、前記感光モジュール全体を移動させることにより、前記感光素子１０の前記光学レンズ２０に対する位置を調節しもよい。
【手続補正２】
【補正対象書類名】明細書
【補正対象項目名】００５３
【補正方法】変更
【補正の内容】
【００５３】
ステップ７では、接着剤を硬化させることで前記光学レンズ２０と前記一体化ベース３０との間に位置する前記接着層４０を形成する。理解できるように、前記光学レンズ２０を前記感光素子１０の感光経路に保持するように、前記接着層４０は前記光学レンズ２０と前記一体化ベース３０との接続に適用可能であり、一方、前記接着層４０は、外部汚染物が前記光学レンズ２０と前記一体化ベース３０との接続部を通って前記固定焦点カメラモジュールの外部から内部に侵入することを防止することができ、さらに、前記接着層４０は、外部の光が前記光学レンズ２０と前記一体化ベース３０との接続部を通って前記固定焦点カメラモジュールの外部から内部に侵入することを防止することができる。また、前記接着層４０は、前記光学レンズ２０の製品誤差および前記一体化ベース３０の製品誤差並びに前記光学レンズ２０と前記一体化ベース３０００の取り付け誤差を補うことができ、前記光学レンズ２０と前記感光素子１０の相対的な傾きが防止され、それによって前記固定焦点カメラモジュールの結像品質の確保に有利である。
【手続補正３】
【補正対象書類名】明細書
【補正対象項目名】００５５
【補正方法】変更
【補正の内容】
【００５５】
図５Ａは、前記固定焦点カメラモジュールの他の変形実施形態であり、本発明のこの実施例に係る前記固定焦点カメラモジュールと前記好ましい実施例に係る前記固定焦点カメラモジュールとの構造の相違点は、前記フィルタエレメント６０の実装位置である。具体的には、本発明のこの実施例に係る前記固定焦点カメラモジュールでは、前記フィルタエレメント６０は、前記光学レンズ２０に近くなるように前記レンズホルダ３０の外側凹溝３２に実装され、前記レンズホルダ３０の先端３０２に実装された前記フィルタエレメント６０は、前記光学レンズ２０と前記感光素子１０との間に保持されることができる。すなわち、前記外側凹溝は、前記フィルタエレメント６０の取り付けに適用可能で、かつ前記接着層４０のための取り付けスペースを提供することができる。
【手続補正４】
【補正対象書類名】明細書
【補正対象項目名】００９５
【補正方法】変更
【補正の内容】
【００９５】
ステップ６では、前記固定焦点カメラモジュールに対して焦点調節するために、前記光学レンズ２０の前記感光素子１０に対する位置を調整する。具体的には、前記感光素子１０が画像を出力できるように前記回路基板５０を介して前記感光素子１０に通電し、画像の鮮明度に応じて前記固定焦点カメラモジュールに対して焦点調節を行う。前記固定焦点カメラモジュールに対して焦点調節を行う方法は、前記焦点調節機構が前記光学レンズ２０の外面を挟持することによって前記光学レンズ２０の前記感光素子１０に対する位置を調整することであってもよい。本発明に係る前記固定焦点カメラモジュールは、前記固定焦点カメラモジュールの外部で前記固定焦点カメラモジュールに対する焦点調節を達成するので、前記焦点調節機構により前記光学レンズ２０の外面に固体粒子汚染物が生成したとしても、該固形粒子汚染物が前記固定焦点カメラモジュールの内部に侵入することがなく、前記固定焦点カメラモジュールの結像品質が向上される。注意すべき点は、本発明に係る前記固定焦点カメラモジュールに対して焦点調節動作を行うプロセスでは、前記光学レンズ２０の前記感光素子１０に対する位置を調整することにより、前記固定焦点カメラモジュールの焦点距離を調整することができるが、他の例では、前記一体化ベース３０００を移動させること、すなわち、前記感光モジュール１００全体を移動させることにより、前記感光素子１０の前記光学レンズ２０に対する位置を調整しもよい。
【手続補正５】
【補正対象書類名】明細書
【補正対象項目名】００９６
【補正方法】変更
【補正の内容】
【００９６】
ステップ７では、接着剤を硬化させることで前記光学レンズ２０と前記一体化ベース３０００との間に位置する前記接着層４０を形成する。理解できるように、前記光学レンズ２０を前記感光素子１０の感光経路に保持するように、前記接着層４０は前記光学レンズ２０と前記一体化ベース３０００との接続に適用可能であり、一方、前記接着層４０は、外部汚染物が前記光学レンズ２０と前記一体化ベース３０００との接続部を通って前記固定焦点カメラモジュールの外部から内部に侵入することを防止することができ、さらに、前記接着層４０は、外部の光が前記光学レンズ２０と前記一体化ベース３０００との接続部を通って前記固定焦点カメラモジュールの外部から内部に侵入することを防止することができる。また、前記接着層４０は、前記光学レンズ２０の製品誤差および前記一体化ベース３０００の製品誤差並びに前記光学レンズ２０と前記一体化ベース３０００の取り付け誤差を補うことができ、前記光学レンズ２０と前記感光素子１０の相対的な傾きが防止され、それによって前記固定焦点カメラモジュールの結像品質の確保に有利である。
【手続補正６】
【補正対象書類名】明細書
【補正対象項目名】０１２４
【補正方法】変更
【補正の内容】
【０１２４】
前記上アセンブリユニット９０１１の前記上保持部材９０１１２の前記上保持本体９０１１２１は、前記延長壁９０１１２２の下方に位置する下スリーブ接続端部９０１１２１１を有し、前記下スリーブ接続端部９０１１２１１が前記下アセンブリユニット９０１２の前記下保持部材９０１２２にスリーブ接続される。言い換えれば、前記上アセンブリユニット９０１１の前記上保持部材９０１１２の前記延長壁９０１１２２は、前記上保持本体９０１１２１を、上方に位置する部分と、前記下スリーブ接続端部９０１１２１１である下方に位置する部分、の２つの部分に区画している。前記上アセンブリユニット９０１１の前記上保持部材９０１１２の前記延長壁９０１１２２が前記下アセンブリユニット９０１２の前記下保持部材９０１２２にラップ接合するとき、前記下スリーブ接続端部９０１１２１１が前記下アセンブリユニット９０１２の前記下保持部材９０１２２にスリーブ接続される。
【手続補正７】
【補正対象書類名】明細書
【補正対象項目名】０１２５
【補正方法】変更
【補正の内容】
【０１２５】
前記下アセンブリユニット９０１２の前記下保持部材９０１２２は、下保持本体９０１２２１と上ラップ接合端部９０１２２２とを含む。前記下保持本体９０１２２１は、各前記下レンズ９０１２１を光路に沿って配置するように収容、装着するための中空構造である。言い換えれば、前記下アセンブリユニット９０１２の各前記下部レンズ９０１２１は、光路を提供するために前記下保持本体９０１２２１の内部に取り付けられている。前記上ラップ接合端部９０１２２２が前記下保持本体９０１２２１に一体的に接続され、前記上アセンブリユニット９０１１の前記上保持部材９０１１２に対応して動作し、前記上保持部材の前記延長壁９０１１２２が前記下保持部材９０１２２の前記上ラップ接合端部９０１２２２にラップ接合するとき、前記上アセンブリユニット９０１１の前記上保持部材９０１１２の前記下スリーブ接続端部９０１１２１１は、前記下保持部材９０１２２の前記上ラップ接合端部９０１２２２に延在して嵌入され、それによって前記下アセンブリユニット９０１２の前記下保持部材９０１２２は前記上アセンブリユニット９０１１の取り付け位置を規制する。
【国際調査報告】
2019519001.tif 000023
2019519001.tif 000024
2019519001.tif 000025
2019519001.tif 000026
2019519001.tif 000027